(57)【要約】  歯洗浄デバイス用のマウスピースは、歯列弓の複数の歯を包み込むように構成された支持構造を備える。支持構造は、歯表面に面する内面を有する。内面側に少なくとも１つのブラッシングチャンバが設けられる。ブラッシングチャンバは、ブラッシングチャンバを加圧または減圧することによって変形可能な可撓性壁部を備える。可撓性壁部から外側にブリッスルが延びる。歯磨きの方法では、マウスピースによって複数の歯が包み込まれ、少なくとも１つのブラッシングチャンバに対して加圧と減圧が交互に行われる。
2020518416.tif 000002
【特許請求の範囲】
【請求項１】
圧力デバイス（２１６、２１８、２２０、２２０）と、上顎歯列弓および下顎歯列弓（１）において磨くべき複数の歯を包み込むためのマウスピース（１０、２０、３０、４０、５０、７０、８１、２０４、２６０、２７０、２８０、３１０、３３０）と、を備えた歯洗浄デバイス（２００）であって、
前記上顎歯列弓および前記下顎歯列弓（１）の各々は、
舌側面と、
顔側面と、
皎合面および切縁と、
を備える歯表面を有し、
前記舌側面は舌に面し、前記顔側面は顔に面し、前記上顎歯列弓の前記皎合面および前記切縁は、それぞれ前記下顎歯列弓の前記皎合面および前記切縁に面し、
前記マウスピース（１０、２０、３０、４０、５０、７０、８１、２０４、２６０、２７０、２８０、３１０、３３０）は、前記マウスピース（１０、２０、３０、４０、５０、７０、８１、２０４、２６０、２７０、２８０、３１０、３３０）が使用者の口内にある時に、前記上顎歯列弓および前記下顎歯列弓（１）の複数の歯（５８）を包み込むように、Ｕ字形の長さと、Ｕ字形の長さを横切るＨ字形またはＸ字形の断面とで構成された支持構造（１１、２１、３１、４１、５１、８４、８５、９４、１０６、１１６、３１１、３３１）であって、前記マウスピース（１０、２０、３０、４０、５０、７０、８１、２０４、２６０、２７０、２８０、３１０、３３０）が使用者の口内にある時に、磨くべき前記歯（５８）の前記歯表面に面するように構成された内面を有する支持構造（１１、２１、３１、４１、５１、８４、８５、９４、１０６、１１６、３１１、３３１）を含み、
前記マウスピース（１０、２０、３０、４０、５０、７０、８１、２０４、２６０、２７０、２８０、３１０、３３０）は、前記支持構造（１１、２１、３１、４１、５１、８４、８５、９４、１０６、１１６、３１１、３３１）の前記内面の側（３１６、３３６）に設けられた少なくとも１つのブラッシングチャンバ（１３、２２、３３、４２、５５、６０、７２、８０、８７、９０、１００、１１０、３１２、３３２）をさらに含み、
少なくとも１つの前記ブラッシングチャンバ（１３、２２、３３、４２、５５、６０、７２、８０、８７、９０、１００、１１０、３１２、３３２）は、ブリッスル壁部（１７、２３、３７、４３、５３、５６、６２、７４、８３、８９、９６、１０８、１１８、１２０、１５０、１５４、１６０、１７０、１８０、１９０、３１３、３３３）であって、該ブリッスル壁部に直接結合され、該ブリッスル壁部の外側から延びるブリッスル（２４、４４、５４、１２２、１３２、１４２、１５２、１５６、１６２、１７２、１８２、１９２、２６４、２７４、２８４、３１４、３１５、３３４、３３５）に設けられ、外側が前記ブラッシングチャンバとは反対側を向いたブリッスル壁部（１７、２３、３７、４３、５３、５６、６２、７４、８３、８９、９６、１０８、１１８、１２０、１５０、１５４、１６０、１７０、１８０、１９０、３１３、３３３）を含み、
少なくとも１つの前記ブラッシングチャンバ（１３、２２、３３、４２、５５、６０、７２、８０、８７、９０、１００、１１０、３１２、３３２）は、前記マウスピース（１０、２０、３０、４０、５０、７０、８１、２０４、２６０、２７０、２８０、３１０、３３０）が使用者の口内にある時に、前記ブリッスル壁部（１７、２３、３７、４３、５３、５６、６２、７４、８３、８９、９６、１０８、１１８、１２０、１５０、１５４、１６０、１７０、１８０、１９０、３１３、３３３）の前記外側、すなわち、前記上顎歯列弓および前記下顎歯列弓（１）において磨くべき前記歯の前記舌側面と前記顔側面と前記皎合面と前記切縁とに面するように構成され、
前記圧力デバイス（２１６、２１８、２２０、２２０）は、
少なくとも１つの前記ブラッシングチャンバと流体連通することと、
流体による少なくとも１つの前記ブラッシングチャンバの加圧と減圧を交互に行うこととを行うように構成され、
少なくとも１つの前記ブラッシングチャンバ（１３、２２、３３、４２、５５、６０、７２、８０、８７、９０、１００、１１０、３１２、３３２）の前記ブリッスル壁部（１７、２３、３７、４３、５３、５６、６２、７４、８３、８９、９６、１０８、１１８、１２０、１５０、１５４、１６０、１７０、１８０、１９０、３１３、３３３）は、前記圧力デバイス（２１６、２１８、２２０、２２０）が、少なくとも１つの前記ブラッシングチャンバ（１３、２２、３３、４２、５５、６０、７２、８０、８７、９０、１００、１１０、３１２、３３２）内の流体の加圧および減圧を交互に行う時に、可撓性で変形可能に構成されていることを特徴とする、歯洗浄デバイス（２００）。
【請求項２】
前記マウスピースは、少なくとも１つの前記ブラッシングチャンバと流体連通し、少なくとも１つの前記ブラッシングチャンバへの流体の供給と少なくとも１つの前記ブラッシングチャンバからの流体の排出を交互に行って、少なくとも１つの前記ブラッシングチャンバ内の前記流体の加圧と減圧を交互に行うのを可能にするように構成された、少なくとも１つの流体開口部をさらに備えていることを特徴とする、請求項１に記載の歯洗浄デバイス。
【請求項３】
可撓性前記ブリッスル壁部は弾性材料から作られていることを特徴とする、請求項１または２に記載の歯洗浄デバイス。
【請求項４】
前記ブリッスルは、少なくとも１つの前記ブラッシングチャンバの可撓性前記ブリッスル壁部に直接接続され、それによって、各ブリッスルまたはブリッスルのタフトの長手方向が、前記ブリッスルまたは前記ブリッスルの前記タフトが接続されるかまたは取り付けられる可撓性前記ブリッスル壁部の部分の向きによって決定されることを特徴とする、請求項１〜３のいずれか一項に記載の歯洗浄デバイス。
【請求項５】
前記ブリッスルは、少なくとも１つの前記ブラッシングチャンバが加圧されたときに前記上顎歯列弓または前記下顎歯列弓の前記舌側面と、前記顔側面と、前記皎合面または前記切縁の少なくとも１つとに係合するように構成されていることを特徴とする、請求項１〜４のいずれか一項に記載の歯洗浄デバイス。
【請求項６】
少なくとも１つの前記ブラッシングチャンバは、前記上顎歯列弓および前記下顎歯列弓の長さ方向において見たときに、前記支持構造の全長に沿って延びていることを特徴とする、請求項１〜５のいずれか一項に記載の歯洗浄デバイス。
【請求項７】
少なくとも１つの前記ブラッシングチャンバは、前記上顎歯列弓および前記下顎歯列弓の長さ方向において見たときに、前記上顎歯列弓および前記下顎歯列弓の左部分、前部分、および右部分に沿って延びるように構成されていることを特徴とする、請求項１〜６のいずれか一項に記載の歯洗浄デバイス。
【請求項８】
前記ブラッシングチャンバは、前記上顎歯列弓および前記下顎歯列弓の少なくとも切歯、犬歯、および小臼歯を包み込むように構成されていることを特徴とする、請求項１〜７のいずれか一項に記載の歯洗浄デバイス。
【請求項９】
前記支持構造は、少なくとも１つの前記ブラッシングチャンバの可撓性前記ブリッスル壁部に対して剛性を有していることを特徴とする、請求項１〜８のいずれか一項に記載の歯洗浄デバイス。
【請求項１０】
前記マウスピースは、前記少なくとも１つの圧力チャンバにおける１つまたは複数の圧力チャンバを加圧し、同時に前記少なくとも１つの圧力チャンバにおける１つまたは複数の他の圧力チャンバを減圧するように構成されていることを特徴とする、請求項１〜９のいずれか一項に記載の歯洗浄デバイス。
【請求項１１】
前記ブリッスルは、少なくとも１つの前記ブラッシングチャンバの可撓性前記ブリッスル壁部に固定されていることを特徴とする、請求項１〜１０のいずれか一項に記載の歯洗浄デバイス。
【請求項１２】
少なくとも１つの前記ブラッシングチャンバの可撓性前記ブリッスル壁部は、少なくとも１つの前記ブラッシングチャンバを加圧した結果として凸形状をとるように構成されていることを特徴とする、請求項１〜１１のいずれか一項に記載の歯洗浄デバイス。
【請求項１３】
少なくとも１つの前記ブラッシングチャンバの可撓性前記ブリッスル壁部は、少なくとも１つの前記ブラッシングチャンバを減圧した結果として凹形状をとるように構成されていることを特徴とする、請求項１〜１２のいずれか一項に記載の歯洗浄デバイス。
【請求項１４】
洗浄流体構成をさらに備え、前記洗浄流体構成は、
浄流体用の注入口であって、前記注入口の開口部が、前記マウスピースをハンドル部材に結合するように構成されたマウスピース接触面に配置される注入口と、
洗浄流体用の１つまたは複数の放出口であって、前記上顎歯列弓および／または前記下顎歯列弓の領域に歯洗浄流体を供給するように構成された放出口と、
前記マウスピースを貫通して延び、洗浄流体用の前記注入口と洗浄流体用の１つまたは複数の前記放出口との間を流体接続するように構成されたダクトとを備えていることを特徴とする、請求項１〜１３のいずれか一項に記載の歯洗浄デバイス。
【請求項１５】
少なくとも１つの前記ブラッシングチャンバと流体連通する少なくとも１つの第１の流体末端を含む第１の接触面部分と、前記圧力デバイスと流体連通する少なくとも１つの第２の流体末端を含む第２の接触面部分とを有する接触面をさらに備え、
前記第１の接触面部分および前記第２の接触面部分は、互いに脱着可能に結合されるように構成され、それによって、結合状態では、前記第１の流体末端が少なくとも１つの前記第２の流体末端と流体連通していることを特徴とする、請求項１〜１４のいずれか一項に記載の歯洗浄デバイス。
【請求項１６】
少なくとも１つの前記第１の流体末端の数は、少なくとも１つの前記第２の流体末端の数に対応していることを特徴とする、請求項１５に記載の歯洗浄デバイス。
【請求項１７】
前記圧力デバイスは、少なくとも１つの圧力チャンバにおける１つまたは複数の圧力チャンバを加圧し、同時に少なくとも１つの前記圧力チャンバにおける１つまたは複数の他の圧力チャンバを減圧するようにさらに構成されていることを特徴とする、請求項１〜１６のいずれか一項に記載の歯洗浄デバイス。
【請求項１８】
歯磨きの方法であって、
請求項１〜１７のいずれか一項に記載のマウスピースによって磨くべき複数の歯を包み込むステップと、
少なくとも１つの前記ブラッシングチャンバの加圧と減圧を交互に行うステップとを含むことを特徴とする、歯磨きの方法。
【発明の詳細な説明】
【技術分野】
【０００１】
本発明は、歯洗浄デバイスの分野に関し、詳細には歯洗浄デバイス用のマウスピースに関する。本発明は、歯磨きの方法にさらに関する。本発明は、本発明のマウスピースを備える歯洗浄デバイスにさらに関する。このマウスピースは、人間または動物の口腔の数本の歯またはすべての歯を同時に磨くように構成されてもよい。
【背景技術】
【０００２】
人間および動物の歯の洗浄は、口腔衛生、および内蔵器官の健康の必須条件である。手動および電動の歯ブラシなどの様々な歯洗浄デバイスが利用可能である。このような典型的な歯ブラシを用いる場合、歯垢を効果的に除去するには少なくとも１日当たり２分間所定の方法によって歯を磨くことが勧められている。しかしながら、平均的な人がこの所定の時間のすべてを歯の洗浄に費やしているとは限らず、常に有効な方法に従って磨いているとは限らない。さらに、典型的な歯ブラシでは歯の様々な表面にブラシのブリッスルを正確に位置させる必要があるので、高齢者もしくは障害者または子供が歯ブラシで歯を磨くのは難しい場合がある。さらに、歯磨き時に人はブラシのブリッスルに過度に高い圧力を加えることがあり、それによってブリッスルが急速にかつ過度に摩耗するだけでなく、歯磨きプロセスも効果的でなくなり、歯が損傷を受け、歯茎が下がる場合があり、それによって歯の衛生が悪影響を受ける。
【０００３】
歯を自動的に洗浄し、それによって、効果的な歯磨きに必要な時間を短縮しその労力を低減させる必要がある。さらに、ブラシを慎重に操作する必要がある。
【０００４】
上顎歯列弓と下顎歯列弓の両方を覆うマウスピースを備える歯洗浄デバイスが知られている。そのようなマウスピースは、ブリッスルを有するブラッシング面を備え、このようなブラッシング面が自動的に動かされてすべての歯が完全に洗浄される。
【０００５】
公知の歯洗浄デバイスのマウスピースおよびブラシング面では、ユーザの歯列弓の形状にぴったりと適合するように調整する必要がある。マウスピースは、あらゆる歯表面を洗浄することができる必要がある。しかし、歯列は、大きさが様々であること、不正皎合、欠損歯などに起因してそれぞれに異なるユーザ間の違いが大きい。したがって、調整可能なマウスピースを有する歯洗浄デバイスが必要である。
【０００６】
米国特許出願公開第２０１０／００６２３９７号明細書は、マウスピースを有する電動歯洗浄デバイスを開示している。この公知のマウスピースは、歯の上顎歯列弓を洗浄するための上部と歯の下顎歯列弓を洗浄するための下部とを有する。この公知のマウスピースの上部および下部はどちらも、各々がブラシパッドを有し、各ブラシパッドは、Ｕ字形断面を有するとともに、Ｕ字形の内側にブリッスルを有する。この２つのブラシパッドは、パッドのＵ字形の底部が互いに向き合うように位置し、上部ブラシパッドのＵの脚が、下方を向く下部ブラシパッドのＵ字形の脚とは逆に上方を向くように位置している。ブラシパッドは、剛性があるブラシプレートをＵ字形の外側に備える。これらのＵ字形ブラシパッドは、Ｕ字形の脚の方向において歯の自由端部／頂部に対して上下に駆動される。いくつかの実施形態では、マウスピースの上顎歯列弓と下顎歯列弓との間にブラダが位置してもよく、ブラダに対して空気圧および吸引を交互に加えるかまたは空気圧および吸引を加えて振動させて、底部ブラシプレートを上下に動かしてもよく、それにより、Ｕ字形のブラシパッドが上下に動き、それによって歯磨きが行われる。
【０００７】
米国特許出願公開第２０１０／００６２３９７号明細書によるマウスピースの一実施形態では、マウスピースは、側部ブラシプレートが、柔軟なフィンガーおよび／またはブラダを使用することによって歯の舌側および顔側に接触して配置されるように調整可能であり、フィンガーおよび／またはブラダは、静圧を加えてブラシプレートのブリッスルの先端を歯の舌側および顔側に係合させ、一方、上下に移動させ、静圧の方向に対して横方向に移動させるとともに、一方向において歯の舌側および顔側に沿って移動させるように構成される。
【０００８】
米国特許出願公開第２０１０／００６２３９７号明細書では、Ｕ字形ブラシパッドが互いに接近し分離するように移動させられるに過ぎないので、ブラッシング運動は、１-Ｄ運動（一次元運動）のみである。
【０００９】
米国特許出願公開第２０１０／００６２３９７号明細書によるマウスピースは、ブラッシング動作が限定されるという欠点を有する。その理由は、ブラシパッド上のブリッスルが、剛性があるプレート上に取り付けられるので歯のすべての表面に到達するうえで限定された機能を有するからである。
【００１０】
米国特許第４,７９５,３４７号は、対応する欧州特許出願公開第０１７３１１４号を有し、歯を洗浄するためのデバイスのいくつかの実施形態を開示しており、これらのデバイスは、言わば一度に１つの歯を洗浄するために一度に１つの歯を包み込むことを目的とした２種類のデバイスに分類することができる。米国特許第４,７９５,３４７号の図１〜図９に示す第１の種類のデバイスは、手によってブリッスルのブラッシング運動が行われている間、すなわち、ブラシヘッドが、通常の歯ブラシと同様なブラシヘッドを歯に沿って移動させるように操作されるハンドグリップ上に取り付けられている間、歯に対するブリッスルの静的ブラッシング圧力を確保する。この第１のタイプでは、個々のブリッスルタフトと歯との間の洗浄接触圧が全体にわたって少なくともほぼ等しくなることを確保するように単一の圧力チャンバまたは互いに対向する２つの圧力バブルが使用されてもよい。第１のタイプでは、手によってタフトのブラッシング運動が行われる間、第２のタイプによるデバイスのブラッシング運動が駆動装置によって自動的に行われる。第２のタイプのデバイスは、米国特許第４,７９５,３４７号の図１０〜図２１に示されており、タフトが歯表面に対して２-Ｄ運動（二次元運動）を実行するように駆動されるように設計される。各タフトは、歯列弓に垂直な平面において、すなわち、洗浄される歯まで移動するように駆動される。第１の段階では、タフトは、歯の方へ移動させられて歯に押し付けられ、その後タフトは歯表面に沿って歯茎から歯軸方向おいて歯の頂部／歯冠の方へ移動させられ、その後タフトを歯から離れるように移動させて圧力を低下させ、タフトを頂部／歯冠から歯の歯茎の方へ戻し、次のサイクルを開始する。この第２のタイプでは、タフトを駆動してこの２-Ｄ運動を実行するために圧力バブルが使用されてもよい。これらの実施形態では、タフトは、圧力バブルがロッカーアームを介して直接または間接的に作用する剛性がある洗浄要素キャリア上に取り付けられる。
【００１１】
米国特許第４,７９５,３４７号明細書による自動化マウスピースは、ブラッシング動作が制限されるという欠点を有する。その理由は、タフトが、剛性があるキャリア上に取り付けられるので歯のすべての表面に到達するうえで制限された機能を有するからである。このマウスピースのさらなる欠点は、自動的に洗浄されるのは一度に１本の歯に過ぎず、すべての歯を洗浄するには、米国特許第４,７９５,３４７号の自動化マウスピースをすべての歯に沿って手動で移動させる必要があり、時間がかかり、かつすべての歯が十分に洗浄されるとは限らないというリスクを伴う。
【００１２】
したがって、複数の歯を同時に洗浄するうえで高速で完全な自動歯洗浄デバイスが依然として必要である。さらに、ユーザによる労力をなるべく少なくする自動歯洗浄デバイスが依然として必要である。さらに、実質的にすべての歯表面に効果的に到達する自動歯洗浄デバイスが依然として必要である。さらに、洗浄される歯の適切で十分な洗浄を確実に行う自動歯洗浄デバイスが依然として必要である。
【先行技術文献】
【特許文献】
【００１３】
【特許文献１】米国特許出願公開第２０１０／００６２３９７号明細書
【特許文献２】米国特許第４,７９５,３４７号明細書
【特許文献３】欧州特許出願公開第０１７３１１４号明細書
【発明の概要】
【発明が解決しようとする課題】
【００１４】
歯洗浄デバイス、特に自動歯洗浄デバイス用の代替マウスピースを提供することが望ましい。歯洗浄デバイス用の改良されたマウスピースを提供することも望ましい。マウスピースを備えた歯洗浄デバイスを提供することがさらに望ましい。
【課題を解決するための手段】
【００１５】
これらの問題のうちの１つまたは複数によりうまく対処するために、本発明の第１の態様ではマウスピースが提供される。このマウスピースは、歯列弓の複数の歯を包み込むように構成された支持構造であって、歯表面に面するように構成された内面を有する支持構造と、支持構造の内面側に設けられた少なくとも１つのブラッシングチャンバであって、可撓性壁部を備え、可撓性壁部がブラッシングチャンバを加圧または減圧することによって変形可能である、ブラッシングチャンバと、ブラッシングチャンバの可撓性壁部から外側に延びるブリッスルとを備える。
【００１６】
本発明のマウスピースでは、可撓性壁部がブリッスルの基礎を形成する。本発明のマウスピースは、ブラッシングチャンバの可撓性壁部に直接接続されたブリッスルを有し、それによって、各ブリッスルまたはブリッスルのタフトの向き、すなわち、空間内のブリッスルまたはブリッスルのタフトの（概略的な）長手方向が、ブリッスルまたはブリッスルのタフトが接続されるかまたは取り付けられた可撓性壁部の部分の向きによって決定される。次いで、この形状は、ブラッシングチャンバの加圧または減圧の範囲で決定される。したがって、経時的にブラッシングチャンバ内の圧力を変化させることによってブリッスルまたはブリッスルのタフトの向きが経時的に変更される。ブラッシングチャンバ、または相互に異なる加圧サイクルまたは減圧サイクルを有することができる複数のブラッシングチャンバを適切に設計することによって、ブリッスルまたはブリッスルのタフトの歯に対する適切で効果的なブラッシング動作を実現することができる。ブラッシングチャンバの可撓性壁部は、１本または複数の歯が欠損している場合も、ブリッスルまたはブリッスルのタフトが、歯間表面を含む歯のほぼ全体によりうまく到達するのを可能にする。
【００１７】
第１の態様のより具体的な実施形態によれば、本発明は、上顎歯列弓および下顎歯列弓において磨くべき複数の歯を包み込むための、請求項１によるマウスピースを提供する。上顎歯列弓および下顎歯列弓の各々は、舌側面と、顔側面と、大臼歯の皎合面および切歯の切縁とを備える歯表面を有し、舌側面はユーザの舌に面し、顔側面はユーザの顔に面し、上顎歯列弓の皎合面および切縁は、それぞれユーザの下顎歯列弓の皎合面および切縁に面する。マウスピースは、歯列弓の複数の歯を包み込むように構成された支持構造を備え、磨くべき歯の歯表面に面するように構成された内面を有する。
【００１８】
マウスピースは、支持構造の内面の側に設けられた少なくとも１つのブラッシングチャンバをさらに備える。少なくとも１つのブラッシングチャンバは可撓性壁部を備え、可撓性壁部は、ブラッシングチャンバとは反対側を向いた外側を有する。少なくとも１つのブラッシングチャンバは、その可撓性壁部の外側、すなわち、上顎歯列弓および下顎歯列弓において磨くべき歯の舌側面および顔側面および皎合面および切縁に面するように構成される。マウスピースは、可撓性壁部の外側に設けられ、可撓性壁部の外側から歯表面まで延びるブリッスルをさらに備える。少なくとも１つのブラッシングチャンバの可撓性壁部は、少なくとも１つのブラッシングチャンバ内の流体の加圧および減圧を交互に行うことによって変形可能になるように構成される。このことはすべて、可撓性壁部上のブリッスルが上顎歯列弓および下顎歯列弓のすべての包含される歯ならびに関連する歯茎、または歯が欠損している場合は、かつて１つまたは複数の歯が存在した隙間に関連する歯茎に同時に到達することができることを意味する。
【００１９】
本発明の第１の態様のさらなる実施形態によれば、マウスピースは、少なくとも１つのブラッシングチャンバと流体連通し、少なくとも１つのブラッシングチャンバへの流体の供給と少なくとも１つのブラッシングチャンバからの流体の排出を交互に行って、少なくとも１つのブラッシングチャンバ内の流体の加圧と減圧を交互に行うのを可能にするように構成された、少なくとも１つの流体開口部をさらに備える。
【００２０】
本発明の第１の態様の別のさらなる実施形態によれば、可撓性壁部は弾性材料で作られる。弾性の可撓性壁部は、減圧時に可撓性壁部が戻る際に可撓性壁部を助ける。
【００２１】
本発明の第１の態様の別のさらなる実施形態によれば、ブリッスル（またはブリッスルを有するタフト）は、少なくとも１つのブラッシングチャンバの可撓性壁部に直接接続される。「ブリッスルがブラッシングチャンバに直接接続される」は、機械的な観点からは、ブリッスル（またはタフト）がそれぞれのブリッスル（またはタフト）のすぐ隣の可撓性壁部の向きに従うのを妨げる中間構成要素がブリッスルとブラッシングチャンバとの間になく、言い換えれば、「ブリッスルは、少なくとも１つのブラッシングチャンバの可撓性壁部に直接接続され、それによって、各ブリッスルまたはブリッスルのタフトの長手方向が、ブリッスルまたはブリッスルのタフトが接続されるかまたは取り付けられる可撓性を有しかつ変形可能な壁部の部分の向きによって決定される」ことを意味する。
【００２２】
本発明の第１の態様のさらなる実施形態によれば、ブリッスルは、少なくとも１つのブラッシングチャンバが加圧されたときに上顎歯列弓または下顎歯列弓の舌側面、顔側面、および皎合面または切縁の少なくとも１つに係合するように構成される。
【００２３】
支持構造のアクセス長さを回避するために、本発明の第１の態様のさらなる実施形態によれば、少なくとも１つのブラッシングチャンバは、上顎歯列弓および下顎歯列弓の長さ方向において見たときに、支持構造の全長に沿って延びることが構想される。支持構造のアクセス長によってユーザの不要な不快感が生じる。
【００２４】
本発明の第１の態様のさらなる実施形態によれば、少なくとも１つのブラッシングチャンバは、上顎歯列弓および下顎歯列弓の複数の歯を包み込む使用時に、上顎歯列弓および下顎歯列弓の長さ方向において見たときに、上顎歯列弓および下顎歯列弓の左部分、前部分、および右部分に沿って延びるように構成される。これによって、一気にすべての歯を包み込み、すべての歯および関連する歯茎、または歯が欠損している場合は、かつて１つまたは複数の歯が存在した隙間に関連する歯茎を洗浄するのが可能になる。
【００２５】
高齢者では生まれつきの大臼歯がすべて欠損することが多いことを考慮して、本発明の第１の態様によるマウスピースでは、ブラッシングチャンバは、上顎歯列弓および下顎歯列弓の少なくとも切歯、犬歯、および小臼歯を包み込むように構成されることが構想される。
【００２６】
本発明の第１の態様のさらなる実施形態によれば、支持構造は、少なくとも１つのブラッシングチャンバの可撓性壁部に対して剛性を有する。少なくとも１つのブラッシングチャンバを加圧する際に、この加圧によってブラッシングチャンバが、歯の洗浄に有効ではない方向において過度に増大することはないことを確保する。この過度の増大によって、ユーザの口腔内部でマウスピースが「広がり」、加圧によるすべての圧力が歯に集中するとは限らなくなる。そのような広がりは、ユーザによって不快に感じられ、少なくとも１つのブラッシングチャンバが過度に増大すると、加圧に必要な流体およびエネルギーが増す。
【００２７】
本発明の第１の態様のさらなる実施形態によれば、マウスピースは、前記少なくとも１つの圧力チャンバにおける１つまたは複数の圧力チャンバを加圧し、同時に前記少なくとも１つの圧力チャンバにおける１つまたは複数の他の圧力チャンバを減圧するように構成される。言い換えれば、複数のブラッシングチャンバの場合、これらのブラッシングチャンバは、それぞれに異なる瞬間に互いに位相をずらして加圧され減圧されるように動作されてもよい。
【００２８】
本発明の第１の態様のさらなる実施形態によれば、ブリッスルは、少なくとも１つのブラッシングチャンバの可撓性壁部に取り付けられる。
【００２９】
本発明の第２の態様では、歯磨きの方法であって、本発明の第１の態様によるマウスピースによって磨くべき複数の歯を包み込むステップと、少なくとも１つの前記ブラッシングチャンバの加圧と減圧を交互に行うステップとを含む方法が提供される。
【００３０】
言い換えれば、本発明の第２の態様では、歯磨きの方法であって、
歯表面に面する内面を有する支持構造を備えるマウスピースによって歯列弓の複数の歯を包み込むステップと、
支持構造の内面側に設けられた少なくとも１つのブラッシングチャンバを加圧し減圧するステップであって、少なくとも１つのブラッシングチャンバが、ブラッシングチャンバの可撓性壁部から外側に延びるブリッスルを有する可撓性壁部を備える、ステップとを含む方法が提供される。
【００３１】
本発明の第３の態様では、歯洗浄デバイスが提供される。歯洗浄デバイスは、本発明によるマウスピースを備える。
【００３２】
本発明の第３の態様のさらなる実施形態によれば、歯洗浄デバイスは、少なくとも１つのブラッシングチャンバと流体連通するように構成され、かつ流体によって少なくとも１つのブラッシングチャンバの加圧と減圧を交互に行うように構成された圧力デバイスをさらに備える。
【００３３】
本発明の第３の態様のさらなる実施形態によれば、歯洗浄デバイスは、少なくとも１つのブラッシングチャンバと流体連通する少なくとも１つの第１の流体末端との第１の接触面部分と、圧力デバイスと流体連通する少なくとも１つの第２の流体末端との第２の接触面部分を有する接触面をさらに備え、第１の接触面部分および第２の接触面部分は、互いに脱着可能に結合されるように構成され、それによって、結合状態では、前記少なくとも１つの流体末端が前記少なくとも１つの第２の流体末端と流体連通する。
【００３４】
本発明の第３の態様のさらなる実施形態によれば、前記少なくとも１つの第１の流体末端の数が、前記少なくとも１つの第２の流体末端の数に対応する。
【００３５】
本発明の第３の態様のさらなる実施形態によれば、圧力デバイスはさらに、前記少なくとも１つの圧力チャンバにおける１つまたは複数の圧力チャンバを加圧し、一方、前記少なくとも１つの圧力チャンバにおける１つまたは複数の他の圧力チャンバを減圧するように構成される。
【００３６】
本発明のこれらの態様および他の態様は、以下の詳細な説明を参照することによって理解され、かつ添付の図面に関連して検討されたときに、より容易に理解されよう。図面において、同様の参照符号は同様の部分を示す。
【図面の簡単な説明】
【００３７】
【図１】本発明によるマウスピースの一実施形態の概略部分断面上面図である。
【図２ａ】本発明によるマウスピースの一実施形態の、異なる一動作状態における概略断面図である。
【図２ｂ】本発明によるマウスピースの一実施形態の、異なる一動作状態における概略断面図である。
【図２ｃ】本発明によるマウスピースの一実施形態の、異なる一動作状態における概略断面図である。
【図３】本発明によるマウスピースのさらなる実施形態の概略部分断面上面図である。
【図４ａ】本発明によるマウスピースのさらなる実施形態の、異なる一動作状態における概略断面図である。
【図４ｂ】本発明によるマウスピースのさらなる実施形態の、異なる一動作状態における概略断面図である。
【図４ｃ】本発明によるマウスピースのさらなる実施形態の、異なる一動作状態における概略断面図である。
【図５ａ】本発明によるマウスピースの一実施形態の、異なる一動作状態における概略断面図である。
【図５ｂ】本発明によるマウスピースの一実施形態の、異なる一動作状態における概略断面図である。
【図５ｃ】本発明によるマウスピースの一実施形態の、異なる一動作状態における概略断面図である。
【図６ａ】本発明によるマウスピースの一実施形態の、異なる一動作状態における概略断面図である。
【図６ｂ】本発明によるマウスピースの一実施形態の、異なる一動作状態における概略断面図である。
【図６ｃ】本発明によるマウスピースの一実施形態の、異なる一動作状態における概略断面図である。
【図７ａ】位置決めチャンバとブラッシングチャンバを比較する本発明によるマウスピースのさらなる実施形態の、異なる一動作状態における概略断面図である。
【図７ｂ】位置決めチャンバとブラッシングチャンバを比較する本発明によるマウスピースのさらなる実施形態の、異なる一動作状態における概略断面図である。
【図７ｃ】位置決めチャンバとブラッシングチャンバを比較する本発明によるマウスピースのさらなる実施形態の、異なる一動作状態における概略断面図である。
【図７ｄ】位置決めチャンバとブラッシングチャンバを比較する本発明によるマウスピースのさらなる実施形態の、一動作状態における概略断面図である。
【図８】ブラダを備えるブラッシングチャンバの一実施形態の概略断面図である。
【図９】各々がブラダを備えるブラッシングチャンバを備える本発明によるマウスピースのさらなる実施形態の概略断面図である。
【図１０ａ】ブラッシングチャンバの一実施形態の概略断面図である。
【図１０ｂ】図１０ａのブラッシングチャンバと同様に構成されたブラッシングチャンバを備える本発明によるマウスピースのさらなる実施形態の概略断面図である。
【図１０ｃ】図１０ａのブラッシングチャンバと同様に構成されたブラッシングチャンバを備える本発明によるマウスピースのさらなる実施形態の概略断面図である。
【図１０ｄ】図１０ａのブラッシングチャンバと同様に構成されたブラッシングチャンバを備える本発明によるマウスピースのさらなる実施形態の概略断面図である。
【図１１】ブラッシングチャンバの異なるさらなる実施形態の概略断面図である。
【図１２】ブラッシングチャンバの異なるさらなる実施形態の概略断面図である。
【図１３】ブラッシングチャンバの異なるさらなる実施形態の概略断面図である。
【図１４】一体的なブリッスルを有するブラッシングチャンバの可撓性壁部の概略断面図である。
【図１５】ブリッスルが埋め込まれたブラッシングチャンバの可撓性壁部の概略断面図である。
【図１５ａ】ブリッスルが埋め込まれたブリッスル支持体の一実施形態の概略上面図である。
【図１６】ブリッスルのタフトを収容するための窪みを有するブラッシングチャンバの可撓性壁部の概略断面図である。
【図１７ａ】ブリッスルのタフトが接着されたブラッシングチャンバの可撓性壁部の概略断面図である。
【図１７ｂ】ブリッスルのタフトが接着されたブラッシングチャンバの可撓性壁部の概略断面図である。
【図１８】ブリッスル支持体を収容するための窪みを有するブラッシングチャンバの可撓性壁部の概略部分断面図である。
【図１９】ブリッスル支持体が埋め込まれたブラッシングチャンバの可撓性壁部の概略部分断面図である。
【図２０】ブリッスル支持体上に事前に束ねられたブリッスルのタフトを収容するための貫通孔を備えるブラッシングチャンバの可撓性壁部の概略部分断面図である。
【図２１】ブリッスル支持体が可撓性壁部の外面に接着されたブラッシングチャンバの可撓性壁部の概略部分断面図である。
【図２２】ハンドル部材とそれに結合されたマウスピースとを備える歯洗浄デバイスの概略部分切欠き斜視図である。
【図２３】マウスピースに結合された（マウスピースと流体連通する）流体加圧および減圧デバイスの第１の実施形態を示す概略図である。
【図２４】マウスピースに結合された（マウスピースと流体連通する）流体加圧および減圧デバイスの第２の実施形態を示す概略図である。
【図２５】マウスピースに結合された（マウスピースと流体連通する）流体加圧および減圧デバイスの第３の実施形態を示す概略図である。
【図２６】マウスピースに結合された（マウスピースと流体連通する）流体加圧および減圧デバイスの第４の実施形態を示す概略図である。
【図２７】マウスピースに結合された（マウスピースと流体連通する）流体加圧および減圧デバイスの第５の実施形態を示す概略図である。
【図２８ａ】マウスピース内の洗浄流体構成の第１の実施形態の概略断面図である。
【図２８ｂ】マウスピース内の洗浄流体構成の第１の実施形態の概略上面図である。
【図２９ａ】マウスピース内の洗浄流体構成の第２の実施形態の概略断面図である。
【図２９ｂ】マウスピース内の洗浄流体構成の第２の実施形態の概略上面図である。
【図３０ａ】マウスピース内の洗浄流体構成の第３の実施形態の概略断面図である。
【図３０ｂ】マウスピース内の洗浄流体構成の第３の実施形態の概略上面図である。
【図３１】３つの直交軸の系が歯列弓をどのように画定するかを示す図である。
【発明を実施するための形態】
【００３８】
図３１は、x軸x、y軸y、およびz軸zを含む、相互に直交する軸の系を示す。z軸zは、歯列弓１の外郭に従う曲線軸である。x軸xとy軸yは互いに垂直であり、歯列弓１に垂直なxy平面を定め、すなわち、z軸上の位置で交差する各xy平面は、その位置において曲線状のz軸zに垂直である。z軸zは、歯列弓１の長さ方向を定める。歯列弓は、歯が欠損していることに起因する隙間を示す参照符号２および３によって示すように１つまたは複数の歯部材が欠損することがある。１本または複数の歯要素が欠損している場合、このような位置における歯茎を洗浄すべきである。
【００３９】
図１は、マウスピース１０の一実施形態を示し、マウスピース１０は、歯列弓の複数の歯を包み込むように構成された支持構造１１を備える。支持構造１１は、（比較的）剛性の高い材料から作られてもよく、歯表面に面するように構成された内面１２を有する。
【００４０】
マウスピース１０は、支持構造１１の内面１２の側に設けられた複数のブラッシングチャンバ１３ａ、１３ｂ、１３ｃを備える。図１の実施形態では、第１のブラッシングチャンバ１３ａは、上顎歯列弓または下顎歯列弓の舌側面に面するように構成され、第２のブラッシングチャンバ１３ｂは、上顎歯列弓または下顎歯列弓の顔側面に面するように構成され、第３のブラッシングチャンバ１３ｃは、歯列弓の皎合面または切縁に面するように構成される。
【００４１】
第１のブラッシングチャンバ１３ａは、第１の流体流路１４ａを通して第３のブラッシングチャンバ１３ｅに接続される（第３のブラッシングチャンバ１３ｃと流体連通する）。第２のブラッシングチャンバ１３ｂは、第２の流体流路１４ｂを通して第３のブラッシングチャンバ１３ｃに接続される（第３のブラッシングチャンバ１３ｃと流体連通する）。
【００４２】
マウスピース１０は、第２のブラッシングチャンバ１３ｂに接続された（第２のブラッシングチャンバ１３ｂと連通する）マウスピース流体流路末端１４ｃを備えるマウスピース接触面１６を備える。マウスピース接触面１６は、以下により詳しく説明する歯洗浄デバイスの一部となるように構成されたマウスピース１０を、ハンドル部材などの、歯洗浄デバイスの別の部分に結合するように構成される。
【００４３】
マウスピースの支持構造は、上顎歯列弓の複数の歯もしくはすべての歯および／または下顎歯列弓の複数の歯もしくはすべての歯を包み込むように構成されてもよいことに留意されたい。マウスピースの支持構造が、上顎歯列弓のみの複数の歯もしくはすべての歯、または下顎歯列弓のみの複数の歯もしくはすべての歯を包み込むように構成される場合、支持構造の断面の少なくとも一部はＵ字形またはV字形である。マウスピースの支持構造が、上顎歯列弓と下顎歯列弓の両方の複数の歯またはすべての歯を包み込むように構成される場合、支持構造の断面の少なくとも一部はH字形またはX字形である。
【００４４】
各ブラッシングチャンバ１３ａ、１３ｂ、１３ｃは、それぞれの可撓性壁部１７ａ、１７ｂ、１７ｃを備え、可撓性壁部１７ａ、１７ｂ、１７ｃは、ブラッシングチャンバ１３ａ、１３ｂ、１３ｃを加圧または減圧することによって変形可能である。
【００４５】
本開示全体にわたって、「加圧する」という用語は、「圧力を環境圧よりも低い圧力から高めること」または「環境圧よりも高い圧力を加えること」と考えるべきであり、「減圧する」という用語は、「圧力を環境圧よりも高い圧力から低下させること」または「真空を含む、環境圧よりも低い圧力を加えること」と考えるべきである。
【００４６】
以下の図により詳細に示すように、ブリッスルは、ブラッシングチャンバの可撓性壁部から外側に延びる。ブリッスルは、ブラッシングチャンバの可撓性壁部の外面に対して実質的に直角、または６０度を超える鋭角に延びる。ブリッスルは、歯列弓の歯表面に向けられる。ブリッスルはさらに、歯表面に隣接する歯茎の領域に向けられてもよい。
【００４７】
第１のブラッシングチャンバ１３ａは、第１のブラッシングチャンバ１３ａ内への流体の供給および第１のブラッシングチャンバ１３ａからの流体の排出によってそれぞれ、第１のブラッシングチャンバ１３ａを加圧し減圧するのを可能にするように構成された１つの開口部を備える。図１に示す実施形態では、第１のブラッシングチャンバ１３ａの開口部は、第１のブラッシングチャンバ１３ａと第１の流体流路１４ａの接合部に位置する。
【００４８】
第２のブラッシングチャンバ１３ｂは、第２のブラッシングチャンバ１３ｂ内への流体の供給および第２のブラッシングチャンバ１３ｂからの流体の排出によってそれぞれ、第２のブラッシングチャンバ１３ｂを加圧し減圧するのを可能にするように構成された２つの開口部を備える。図１に示す実施形態では、第２のブラッシングチャンバ１３ｂの一方の開口部は、第２のブラッシングチャンバ１３ｂと第２の流体流路１４ｂの接合部に位置する。第２のブラッシングチャンバ１３ｂの他方の開口部は、第２のブラッシングチャンバ１３ｂとマウスピース流体流路末端１４ｃの接合部に位置する。
【００４９】
第３のブラッシングチャンバ１３ｃは、第３のブラッシングチャンバ１３ｃ内への流体の供給および第３のブラッシングチャンバ１３ｃからの流体の排出によってそれぞれ、第３のブラッシングチャンバ１３ｃを加圧し減圧するのを可能にするように構成された２つの開口部を備える。図１に示す実施形態では、第３のブラッシングチャンバ１３ｃの一方の開口部は、第３のブラッシングチャンバ１３ｃと第１の流体流路１４ａの接合部に位置する。第３のブラッシングチャンバ１３ｃの他方の開口部は、第３のブラッシングチャンバ１３ｃと第２の流体流路１４ｂの接合部に位置する。
【００５０】
図１の実施形態では、ブラッシングチャンバ１３ａ、１３ｂ、１３ｃは互いに流体連通しているので、たとえば、マウスピース流体流路末端１４ｃに流体を供給するか、またはマウスピース流体流路末端１４ｃから流体を排出することによって、すべてのブラッシングチャンバ１３ａ、１３ｂ、１３ｃが同時に加圧または減圧される。別の例として、ブラッシングチャンバ１３ａ、１３ｂ、１３ｃの加圧および減圧はそれぞれ、ブラッシングチャンバ１３ａ、１３ｂ、１３ｃ内にすでに存在する流体の量を増加させ減少させることによって実現されてもよい。ブラッシングチャンバ１３ａ、１３ｂ、１３ｃを加圧し減圧すると、対応する可撓性壁部１７ａ、１７ｂ、１７ｃがそれに応じて変形し、それによって可撓性壁部１７ａ、１７ｂ、１７ｃから外側に延びるブリッスルを動かす。
【００５１】
各ブラッシングチャンバまたはマウスピースのブラッシングチャンバの総数のうちの任意の数のブラッシングチャンバが、マウスピース流体流路末端からブラッシングチャンバに至る別個の流体流路を有して、少なくとも１つの他のブラッシングチャンバから独立した１つまたは複数のブラッシングチャンバを独立に加圧し減圧してもよいことに留意されたい。
【００５２】
本開示全体にわたって、流体は空気などの気体、もしくは水などの液体、またはそれらの組合せであってもよい。
【００５３】
図２ａ、図２ｂ、および図２ｃは、マウスピース２０の一実施形態の、それぞれに異なる動作状態における断面図を概略的に示す。マウスピース２０は支持構造２１を備える。支持構造２１は、上顎歯列弓および下顎歯列弓の複数の歯を包み込むように構成され、上顎歯列弓および下顎歯列弓のすべての歯を包み込むように構成されてもよい。支持構造２１の内面側において、内面は歯表面に面するように構成され、第１、第２、第３、および第４のブラッシングチャンバ２２ａ、２２ｂ、２２ｃ、２２ｄが設けられる。さらに、支持構造２１の互いに向かい合う内面間を延びる第５のブラッシングチャンバ２２ｅが設けられる。
【００５４】
第１のブラッシングチャンバ２２ａは第１の可撓性壁部２３ａを備える。第２のブラッシングチャンバ２２ｂは第２の可撓性壁部２３ｂを備える。第３のブラッシングチャンバ２２ｃは第３の可撓性壁部２３ｃを備える。第４のブラッシングチャンバ２２ｄは第４の可撓性壁部２３ｄを備える。第５のブラッシングチャンバ２２ｅは第５の可撓性壁部２３ｅと第６の可撓性壁部２３ｆとを備える。第１〜第６の可撓性壁部２３ａ〜２３ｆは、特にそれぞれの対応するブラッシングチャンバ２２ａ〜２２ｅを加圧または減圧することによって変形可能である。可撓性壁部２３ａ〜２３ｆは、ゴム材料などの弾性材料から作られてもよい。可撓性壁部２３ａ〜２３ｆは、非弾性材料から作られてもよい。可撓性壁部２３ａ〜２３ｆの材料は、可撓性壁部２３ａ〜２３ｆの内側および外側にわたって圧力差が実質的にまったくないか、または圧力差が小さいときに所定の形状を維持する。
【００５５】
ブリッスル２４のタフトは、ブラッシングチャンバ２２ａ〜２２ｅの可撓性壁部２３ａ〜２３ｆから外側に延びる。マウスピース２０は、少なくとも、対応するブラッシングチャンバ２２ａ、２２ｂ、２２ｃ、２２ｄ、２２ｅが加圧されたときにブリッスル２４のタフトが歯列弓の歯の歯表面に係合するように構成される。
【００５６】
図２ａは、第１〜第５のブラッシングチャンバ２２ａ〜２２ｅに対して加圧も減圧も行われていないときのマウスピース２０の第１の動作状態を示す。図２ｂは、たとえば、ブラッシングチャンバ２２ａ〜２２ｅに流体を供給するか、またはブラッシングチャンバ２２ａ〜２２ｅ内の流体の量を増加させることによって、すべてのブラッシングチャンバ２２ａ〜２２ｅが加圧されたときのマウスピース２０の第２の動作状態を示す。図２ｂを見るとわかるように、加圧の結果として、第１〜第６の可撓性壁部２３ａ〜２３ｆは、対応するブラッシングチャンバ２２ａ〜２２ｅの外側から見たときに凸形状をとり、それによって、ブリッスル２４、特にその自由端が歯表面に係合することがあり、ならびに／または歯表面に接触して変形される場合がある。図２ｃは、たとえば、ブラッシングチャンバ２２ａ〜２２ｅから流体を排出するか、またはブラッシングチャンバ２２ａ〜２２ｅ内の流体の量を減少させることによって、すべてのブラッシングチャンバ２２ａ〜２２ｅが減圧されたときのマウスピース２０の第３の動作状態を示す。図２ｃを見るとわかるように、減圧の結果として、第１〜第６の可撓性壁部２３ａ〜２３ｆは、対応するブラッシングチャンバ２２ａ〜２２ｅの外側から見たときに凹形状をとり、それによって、ブリッスル２４、特にその自由端は歯表面に係合しないかもしくはほとんど係合しないことがあり、ならびに／または歯表面に接触して変形される場合がある。
【００５７】
ブラッシングチャンバ２２ａ〜２２ｅを加圧し減圧して第１の動作状態から第２の動作状態に切り替え、次いで第２の動作状態から第１の動作状態に切り替え、次いで第１の動作状態から第３の動作状態に切り替え、その後第１の動作状態に戻り、その後そのようなサイクルを繰り返す適切なサイクルによって、マウスピースの最も効果的なブラッシング動作を得ることができる。可撓性壁部２３ａ〜２３ｄのブリッスル２４は概して、そのような循環時に上昇運動および下降運動を実行し、可撓性壁部２３ｅおよび２３ｆのブリッスル２４は、そのような循環時に横方向への往復運動を実行する。より短い代替サイクルでは、サイクルは、第１の動作状態と第２の動作状態のみの間で切り替えられ、その場合、図２ｃは、このより短いサイクルの一部ではなく、または第１の動作状態と第３の動作状態の間で切り替えられ、その場合、図２ｂはこのより短いサイクルの一部ではない。
【００５８】
マウスピース２０の実施形態では、ブラッシングチャンバ２２ａ〜２２ｄの各々は、支持構造２１の内面に固定された管状部材を備え、管状部材は、ブリッスル２４を備える可撓性壁部２３ａ〜２３ｄを備える。ブラッシングチャンバ２２ｅも、ブラッシングチャンバ２２ａ〜２２ｄを形成する管状部材に結合された管状部材を備え、管状部材は、ブリッスル２４を備える可撓性壁部２３ｅおよび２３ｆを備える。
【００５９】
図３は、歯列弓の複数の歯を包み込むように構成された支持構造３１を備えるマウスピース３０の一実施形態を示す。支持構造３１は、歯表面に面するように構成された内面３２を有する。
【００６０】
マウスピース３０は、支持構造３１の内面３２の側に設けられた複数のブラッシングチャンバ３３ａ、３３ｂ、３３ｃ、３３ｄ、３３ｅ、および３３ｆを備える。図３の実施形態では、第１のブラッシングチャンバ３３ａおよび第２のブラッシングチャンバ３３ｂは、上顎または下顎歯列弓の舌側面に面するように構成され、第３のブラッシングチャンバ３３ｃおよび第４のブラッシングチャンバ３３ｄは、上顎および下顎歯列弓の顔側面に面するように構成され、第５のブラッシングチャンバ３３ｅおよび第６のブラッシングチャンバ３３ｆは、歯列弓の皎合面または切縁に面するように構成される。
【００６１】
第１のブラッシングチャンバ３３ａは、第１の流体流路３４ａを通して第５のブラッシングチャンバ３３ｅに接続される（第５のブラッシングチャンバ３３ｅと流体連通する）。第３のブラッシングチャンバ３３ｃは、第２の流体流路３４ｂを通して第５のブラッシングチャンバ３３ｅに接続される（第５のブラッシングチャンバ３３ｅと流体連通する）。
【００６２】
マウスピース３０は、第３のブラッシングチャンバ３３ｃに接続された（第３のブラッシングチャンバ３３ｃと流体連通する）第１のマウスピース流体流路末端３４ｃを備えるマウスピース接触面３６を備える。マウスピース接触面３６は、以下により詳しく説明する歯洗浄デバイスの一部になるように構成されるマウスピース３０をハンドル部材などの歯洗浄デバイスの別の部分に結合するように構成される。
【００６３】
第２のブラッシングチャンバ３３ｂは、第４の流体流路３４ｄを通して第６のブラッシングチャンバ３３ｆに接続される（第６のブラッシングチャンバ３３ｆと流体連通する）。第４のブラッシングチャンバ３３ｄは、第５の流体流路３４ｅを通して第６のブラッシングチャンバ３３ｆに接続される（第６のブラッシングチャンバ３３ｆと流体連通する）。
【００６４】
マウスピース接触面３６は、第４のブラッシングチャンバ３３ｄに接続された（第４のブラッシングチャンバ３３ｄと流体連通する）第２のマウスピース流体流路末端３４ｆを備える。マウスピース接触面３６は、以下により詳しく説明する歯洗浄デバイスの一部になるように構成されるマウスピース３０をハンドル部材などの歯洗浄デバイスの別の部分に結合するように構成される。
【００６５】
各ブラッシングチャンバ３３ａ、３３ｂ、３３ｃ、３３ｄ、３３ｅ、３３ｆは、それぞれの可撓性壁部３７ａ、３７ｂ、３７ｃ、３７ｄ、３７ｅ、３７ｆを備える。可撓性壁部３７ａ、３７ｃ、３７ｅは、対応するブラッシングチャンバ３３ａ、３３ｃ、３３ｅを加圧または減圧することによって変形可能である。可撓性壁部３７ｂ、３７ｄ、３７ｆは、対応するブラッシングチャンバ３３ｂ、３３ｄ、３３ｆを加圧または減圧することによって変形可能である。以下の図により詳しく示すように、ブリッスルは、ブラッシングチャンバの可撓性壁部から外側に延びる。ブリッスルは、歯列弓の歯表面に向けられる。
【００６６】
第１のブラッシングチャンバ３３ａは、第１のブラッシングチャンバ３３ａ内への流体の供給および第１のブラッシングチャンバ３３ａからの流体の排出によってそれぞれ、第１のブラッシングチャンバ３３ａを加圧し減圧するのを可能にするように構成された１つの開口部を備える。図３に示す実施形態では、第１のブラッシングチャンバ３３ａの開口部は、第１のブラッシングチャンバ３３ａと第１の流体流路３４ａの接合部である。
【００６７】
第２のブラッシングチャンバ３３ｂは、第２のブラッシングチャンバ３３ｂ内への流体の供給および第２のブラッシングチャンバ３３ｂからの流体の排出によってそれぞれ、第２のブラッシングチャンバ３３ｂを加圧し減圧するのを可能にするように構成された１つの開口部を備える。図３に示す実施形態では、第２のブラッシングチャンバ３３ｂの開口部は、第２のブラッシングチャンバ３３ｂと第４の流体流路３４ｄの接合部である。
【００６８】
第３のブラッシングチャンバ３３ｃは、第３のブラッシングチャンバ３３ｃ内への流体の供給および第３のブラッシングチャンバ３３ｃからの流体の排出によってそれぞれ、第３のブラッシングチャンバ３３ｃを加圧し減圧するのを可能にするように構成された２つの開口部を備える。図３に示す実施形態では、第３のブラッシングチャンバ３３ｃの一方の開口部は、第３のブラッシングチャンバ３３ｃと第２の流体流路３４ｂの接合部である。第３のブラッシングチャンバ３３ｃの他方の開口部は、第３のブラッシングチャンバ３３ｃと第１のマウスピース流体流路末端３４ｃの接合部である。
【００６９】
第４のブラッシングチャンバ３３ｄは、第４のブラッシングチャンバ３３ｄ内への流体の供給および第４のブラッシングチャンバ３３ｄからの流体の排出によってそれぞれ、第４のブラッシングチャンバ３３ｄを加圧し減圧するのを可能にするように構成された２つの開口部を備える。図３に示す実施形態では、第４のブラッシングチャンバ３３ｄの一方の開口部は、第４のブラッシングチャンバ３３ｄと第５の流体流路３４ｅの接合部である。第４のブラッシングチャンバ３３ｄの他方の開口部は、第４のブラッシングチャンバ３３ｄと第２のマウスピース流体流路末端３４ｆの接合部である。
【００７０】
第５のブラッシングチャンバ３３ｅは、第５のブラッシングチャンバ３３ｅ内への流体の供給および第５のブラッシングチャンバ３３ｅからの流体の排出によってそれぞれ、第５のブラッシングチャンバ３３ｅを加圧し減圧するのを可能にするように構成された２つの開口部を備える。図３に示す実施形態では、第５のブラッシングチャンバ３３ｅの一方の開口部は、第５のブラッシングチャンバ３３ｅと第１の流体流路３４ａの接合部である。第５のブラッシングチャンバ３３ｅの他方の開口部は、第５のブラッシングチャンバ３３ｅと第２の流体流路３４ｂの接合部である。
【００７１】
第６のブラッシングチャンバ３３ｆは、第６のブラッシングチャンバ３３ｆ内への流体の供給および第６のブラッシングチャンバ３３ｆからの流体の排出によってそれぞれ、第６のブラッシングチャンバ３３ｆを加圧し減圧するのを可能にするように構成された２つの開口部を備える。図３に示す実施形態では、第６のブラッシングチャンバ３３ｆの一方の開口部は、第６のブラッシングチャンバ３３ｆと第４の流体流路３４ｄの接合部である。第６のブラッシングチャンバ３３ｆの他方の開口部は、第６のブラッシングチャンバ３３ｆと第５の流体流路３４ｅの接合部である。
【００７２】
図３の実施形態では、第１、第３、および第５のブラッシングチャンバ３３ａ、３３ｃ、および３３ｅは、互いに流体連通するので、第１、第３、および第５のブラッシングチャンバ３３ａ、３３ｃ、および３３ｅは、たとえば、第１のマウスピース流体流路末端３４ｃに流体を供給するか、または第１のマウスピース流体流路末端３４ｃから流体を排出することによって同時に加圧または減圧される。別の例として、第１、第３、および第５のブラッシングチャンバ３３ａ、３３ｃ、および３３ｅの加圧および減圧はそれぞれ、第１、第３、および第５のブラッシングチャンバ３３ａ、３３ｃ、および３３ｅ内にすでに存在する流体の量を増加させ減少させることによって実現されてもよい。
【００７３】
さらに、図３の実施形態では、第２、第４、および第６のブラッシングチャンバ３３ｂ、３３ｄ、および３３ｆは、互いに流体連通するので、第２、第４、および第６のブラッシングチャンバ３３ｂ、３３ｄ、および３３ｆは、たとえば、第２のマウスピース流体流路末端３４ｆに流体を供給するか、または第２のマウスピース流体流路末端３４ｆから流体を排出することによって同時に加圧または減圧される。別の例として、第２、第４、および第６のブラッシングチャンバ３３ｂ、３３ｄ、および３３ｆの加圧および減圧はそれぞれ、第２、第４、および第６のブラッシングチャンバ３３ｂ、３３ｄ、および３３ｆ内にすでに存在する流体の量を増加させ減少させることによって実現されてもよい。
【００７４】
第１、第３、および第５のブラッシングチャンバ３３ａ、３３ｃ、および３３ｅを加圧し減圧すると、対応する可撓性壁部３７ａ、３７ｃ、および３７ｅがそれに応じて変形し、それによって可撓性壁部３７ａ、３７ｃ、および３７ｅから外側に延びるブリッスルを移動させる。
【００７５】
第２、第４、および第６のブラッシングチャンバ３３ｂ、３３ｄ、および３３ｆを加圧し減圧すると、対応する可撓性壁部３７ｂ、３７ｄ、および３７ｆがそれに応じて変形し、それによって可撓性壁部３７ｂ、３７ｄ、および３７ｆから外側に延びるブリッスルを移動させる。
【００７６】
第１、第３、および第５のブラッシングチャンバ３３ａ、３３ｃ、および３３ｅの加圧および減圧と第２、第４、および第６のブラッシングチャンバ３３ｂ、３３ｄ、および３３ｆの加圧および減圧とは互いに同期させられてもよく、その場合、特に第１、第３、および第５のブラッシングチャンバ３３ａ、３３ｃ、および３３ｅが、第２、第４、および第６のブラッシングチャンバ３３ｂ、３３ｄ、および３３ｆとは異なる歯表面の部分まで延びるブリッスルを有するとき、第１、第３、および第５のブラッシングチャンバ３３ａ、３３ｃ、および３３ｅの加圧は、第２、第４、および第６のブラッシングチャンバ３３ｂ、３３ｄ、および３３ｆが減圧されている間に実行され、逆も同様である。
【００７７】
各ブラッシングチャンバ、またはマウスピースのブラッシングチャンバの総数における任意の数のブラッシングチャンバが、マウスピース流体流路末端からブラッシングチャンバに至る別個の流体流路を有して、少なくとも１つの他のブラッシングチャンバから独立した１つまたは複数のブラッシングチャンバを独立に加圧し減圧してもよいことに留意されたい。
【００７８】
図４ａ、図４ｂ、および図４ｃは、マウスピース４０の一実施形態の、それぞれに異なる動作状態における断面図を概略的に示す。マウスピース４０は支持構造４１を備える。支持構造４１は、上顎歯列弓および下顎歯列弓の複数の歯を包み込むように構成され、上顎歯列弓および下顎歯列弓のすべての歯を包み込むように構成されてもよい。支持構造４１の内面側において、内面は歯表面に面するように構成され、第１、第２、第３、第４、第５、第６、第７、および第８のブラッシングチャンバ４２ａ、４２ｂ、４２ｃ、４２ｄ、４２ｅ、４２ｆ、４２ｇ、および４２ｈが設けられる。さらに、支持構造４１の互いに向かい合う内面間を延びる第９および第１０のブラッシングチャンバ４２ｉおよび４２ｊが設けられる。
【００７９】
第１のブラッシングチャンバ４２ａは第１の可撓性壁部４３ａを備える。第２のブラッシングチャンバ４２ｂは第２の可撓性壁部４３ｂを備える。第３のブラッシングチャンバ４２ｃは第３の可撓性壁部４３ｃを備える。第４のブラッシングチャンバ４２ｄは第４の可撓性壁部４３ｄを備える。第５のブラッシングチャンバ４２ｅは第５の可撓性壁部４３ｅを備える。第６のブラッシングチャンバ４２ｆは第６の可撓性壁部４３ｆを備える。第７のブラッシングチャンバ４２ｇは第７の可撓性壁部４３ｇを備える。第８のブラッシングチャンバ４２ｈは第８の可撓性壁部４３ｈを備える。第９のブラッシングチャンバ４２ｉは第９の可撓性壁部４３ｉと第１０の可撓性壁部４３ｊを備える。第１０のブラッシングチャンバ４２ｊは第１１の可撓性壁部４３ｋと第１２の可撓性壁部４３ｌを備える。第１〜第１２の可撓性壁部４３ａ〜４３ｌは、特にそれぞれの対応するブラッシングチャンバ４２ａ〜４２ｊを加圧または減圧することによって変形可能である。可撓性壁部４３ａ〜４３ｌは、ゴム材料などの弾性材料から作られてもよい。可撓性壁部４３ａ〜４３ｌは、非弾性材料から作られてもよい。可撓性壁部４３ａ〜４３ｌの材料は、可撓性壁部４３ａ〜４３ｌの内側および外側にわたって圧力差が実質的にまったくないか、または圧力差が小さいときに所定の形状を維持する。
【００８０】
ブリッスル４４のタフトは、ブラッシングチャンバ４２ａ〜４２ｊの可撓性壁部４３ａ〜４３ｌから外側に延びる。マウスピース４０は、少なくとも、対応するブラッシングチャンバ４２ａ、４２ｂ、４２ｃ、４２ｄ、４２ｅ、４２ｆ、４２ｇ、４２ｈ、４２ｉ、４２ｊが加圧されたときにブリッスル４４のタフトが歯列弓の歯の歯表面に係合するように構成される。
【００８１】
図４ａは、第１〜第１０のブラッシングチャンバ４２ａ〜４２ｊに対して加圧も減圧も行われていないときのマウスピース４０の第１の動作状態を示す。図４ｂは、たとえば、第１、第３、第５、第７、および第９のブラッシングチャンバ４２ａ、４２ｃ、４２ｅ、４２ｇ、および４２ｉに流体を供給するか、またはブラッシングチャンバ４２ａ、４２ｃ、４２ｅ、４２ｇ、および４２ｉ内の流体の量を増加させることによって、ブラッシングチャンバ４２ａ、４２ｃ、４２ｅ、４２ｇ、および４２ｉが加圧されたときのマウスピース４０の第２の動作状態を示す。第２、第４、第６、第８、および第１０のブラッシングチャンバ４２ｂ、４２ｄ、４２ｆ、４２ｈ、および４２ｊは、たとえば、ブラッシングチャンバ４２ｂ、４２ｄ、４２ｆ、４２ｈ、および４２ｊから流体を排出するか、またはブラッシングチャンバ４２ｂ、４２ｄ、４２ｆ、４２ｈ、および４２ｊ内の流体の量を減少させることによって減圧される。図４ｂを見るとわかるように、加圧の結果として、第１、第３、第５、第７、第９、および第１０の可撓性壁部４３ａ、４３ｃ、４３ｅ、４３ｇ、４３ｉ、および４３ｊは、対応するブラッシングチャンバ４２ａ、４２ｃ、４２ｅ、４２ｇ、および４２ｉの外側から見たときに凸形状をとり、それによって、ブリッスル４４、特にその自由端が歯表面に係合することがあり、ならびに／または歯表面に接触して変形される場合がある。第２、第４、第６、第８、第１１、および第１２の可撓性壁部４３ｂ、４３ｄ、４３ｆ、４３ｈ、４３ｋ、および４３ｌは、対応する第２、第４、第６、第８、および第１０のブラッシングチャンバ４２ｂ、４２ｄ、４２ｆ、４２ｈ、および４２ｊの外側から見たときに凹形状をとり、それによって、ブリッスル４４、特にその自由端が歯表面に係合することも係合しないこともあり、ならびに／または歯表面に接触して変形される場合がある。図４ｃは、たとえば、第２、第４、第６、第８、および第１０のブラッシングチャンバ４２ｂ、４２ｄ、４２ｆ、４２ｈ、および４２ｊから流体を供給するか、または第２、第４、第６、第８、および第１０のブラッシングチャンバ４２ｂ、４２ｄ、４２ｆ、４２ｈ、および４２ｊ内の流体の量を増加させることによって、第２、第４、第６、第８、および第１０のブラッシングチャンバ４２ｂ、４２ｄ、４２ｆ、４２ｈ、および４２ｊが加圧されたマウスピース４０の第３の動作状態を示す。第１、第３、第５、第７、および第９のブラッシングチャンバ４２ａ、４２ｃ、４２ｅ、４２ｆ、４２ｇ、および４２ｉは、たとえば、ブラッシングチャンバ４２ａ、４２ｃ、４２ｅ、４２ｆ、４２ｇ、および４２ｉから流体を排出するか、またはブラッシングチャンバ４２ａ、４２ｃ、４２ｅ、４２ｆ、４２ｇ、および４２ｉ内の流体の量を減少させることによって減圧される。加圧の結果として、第２、第４、第６、第８、第１１、および第１２の可撓性壁部４３ｂ、４３ｄ、４３ｆ、４３ｈ、４３ｋ、および４３ｌは、対応するブラッシングチャンバ４２ｂ、４２ｄ、４２ｆ、４２ｈ、および４２ｊの外側から見たときに凸形状をとり、それによって、ブリッスル４４、特にその自由端は歯表面に係合することがあり、ならびに／または歯表面に接触して変形される場合がある。第１、第３、第５、第７、第９、および第１０の可撓性壁部４３ａ、４３ｃ、４３ｅ、４３ｇ、４３ｉ、および４３ｊは、対応する第１、第３、第５、第７、および第９のブラッシングチャンバ４２ａ、４２ｃ、４２ｅ、４２ｇ、および４２ｉの外側から見たときに凹形状をとり、それによって、ブリッスル４４、特にその自由端が歯表面に係合することも係合しないこともあり、もしくはほとんど係合せず、ならびに／または歯表面に接触して変形される場合がある。
【００８２】
ブラッシングチャンバ４２ａ〜４２ｊを加圧し減圧して第１の動作状態から第２の動作状態に切り替え、次いで第２の動作状態から第１の動作状態に切り替え、次いで第１の動作状態から第３の動作状態に切り替え、その後第１の動作状態に戻り、その後そのようなサイクルを繰り返す適切なサイクルによって、マウスピースの最も効果的なブラッシング動作を得ることができる。可撓性壁部４３ａ〜４３ｈのブリッスル４４は概して、そのような循環時に上昇運動および下降運動を実行し、可撓性壁部４３ｉおよび４３ｌのブリッスル４４は、そのような循環時に横方向への往復運動を実行する。より短い代替サイクルでは、サイクルは、第１の動作状態と第２の動作状態のみの間で切り替えられ、その場合、図４ｃは、このより短いサイクルの一部ではなく、または第１の動作状態と第３の動作状態の間で切り替えられ、その場合、図４ｂはこのより短いサイクルの一部ではない。
【００８３】
マウスピース４０の実施形態では、ブラッシングチャンバ４２ａ〜４２ｈの各々は、支持構造４１の内面に固定された管状部材を備え、管状部材は、ブリッスル４４が設けられた可撓性壁部４３ａ〜４３ｈを備える。ブラッシングチャンバ４２ｉおよび４２ｊも、ブラッシングチャンバ４２ａ〜４２ｈを形成する管状部材に結合された管状部材を備え、これらの管状部材は、ブリッスル４４が設けられた可撓性壁部４３ｉ〜４３ｌを備える。
【００８４】
図５ａ、図５ｂ、および図５ｃは、マウスピース３１０の一実施形態の、それぞれに異なる動作状態における断面図を概略的に示す。この断面図は、図３１に定められた歯列弓の長さ全体にわたってほぼ同一である場合がある。
【００８５】
マウスピース３１０は支持構造３１１ａ、３１１ｂ、３１１ｃを備え、支持構造３１１ａ、３１１ｂ、３１１ｃは、２つの側部３１１ａおよび３１１ｂと、側部３１１ａと側部３１１ｂを接続する中間部３１１ｃとを備える。支持構造３１１は、上顎歯列弓および下顎歯列弓の複数の歯を包み込むように構成され、上顎歯列弓および下顎歯列弓のすべての歯を包み込むように構成されてもよい。歯表面に面するように構成された、支持構造３１１ａ、３１１ｂの内面側３１６に、第１および第２のブラッシングチャンバ３１２ａ、３１２ｂが設けられる。
【００８６】
第１のブラッシングチャンバ３１２ａは第１の可撓性壁部３１３ａを備える。第２のブラッシングチャンバ３１２ｂは第２の可撓性壁部３１３ｂを備える。第１および第２の可撓性壁部３１３ａ、３１３ｂは、特にそれぞれの対応するブラッシングチャンバ３１２ａおよび３１２ｂを加圧または減圧することによって変形可能である。可撓性壁部３１３ａ、３１３ｂは、ゴム材料などの弾性材料から作られてもよい。可撓性壁部３１３ａ、３１３ｂは、非弾性材料から作られてもよい。可撓性壁部３１３ａ、３１３ｂの材料は、可撓性壁部３１３ａ、３１３ｂの内側および外側にわたって圧力差が実質的にまったくないか、または圧力差が小さいときに所定の形状を維持する場合がある。
【００８７】
ブリッスル３１５のタフト３１４は、ブラッシングチャンバ３１２ａ、３１２ｂの可撓性壁部３１３ａ、３１３ｂから外側に延びる。マウスピース３１０は、少なくとも、対応するブラッシングチャンバ３１２ａ、３１２ｂが加圧されたときに、ブリッスル３１５のタフトが歯列弓の歯の歯表面に係合するように構成される。図３１において定められた歯列弓の長さ方向において見たときに、ブリッスル３１５のタフト３１４は、（図５ａ、図５ｂ、図５ｃに示す）断面図で見るとほぼ同じ密度に配置される場合がある。
【００８８】
図５ａは、第１および第２のブラッシングチャンバ３１２ａ、３１２ｂに対して加圧も減圧も行われていないときのマウスピース３１０の第１の動作状態を示す。図５ｂは、たとえば、ブラッシングチャンバ３１２ａ、３１２ｂに流体を供給するか、またはブラッシングチャンバ３１２ａ、３１２ｂ内の流体の量を増加させることによって、ブラッシングチャンバ３１２ａ、３１２ｂが加圧されたときのマウスピース３１０の第２の動作状態を示す。図５ｂを見るとわかるように、加圧の結果として、第１および第２の可撓性壁部３１３ａ、３１３ｂは、対応するブラッシングチャンバ３１２ａ、３１２ｂの外側から見たときに凸形状をとり、それによって、ブリッスル３１５、特にその自由端が歯表面に係合することがあり、ならびに／または歯表面に接触して変形される場合がある。図５ｃは、たとえば、ブラッシングチャンバ３１２ａ、３１２ｂから流体を排出するか、またはブラッシングチャンバ３１２ａ、３１２ｂ内の流体の量を減少させることによって、ブラッシングチャンバ３１２ａ、３１２ｂが減圧されたときのマウスピース３１０の第３の動作状態を示す。図５ｃを見るとわかるように、減圧の結果として、第１および第２の可撓性壁部３１３ａ、３１３ｂは、対応するブラッシングチャンバ３１２ａ、３１２ｂの外側から見たときに凹形状をとり、それによって、ブリッスル３１４、特にその自由端は歯表面に係合しないかもしくはほとんど係合しないことがあり、ならびに／または歯表面に接触して変形される場合がある。
【００８９】
ブラッシングチャンバ３１２ａ、３１２ ｂを加圧し減圧して第１の動作状態から第２の動作状態に切り替え、次いで第２の動作状態から第１の動作状態に切り替え、次いで第１の動作状態から第３の動作状態に切り替え、その後第１の動作状態に戻り、その後そのようなサイクルを繰り返す適切なサイクルによって、マウスピースの最も効果的なブラッシング動作を得ることができる。可撓性壁部３１３ａ、３１３ｂの中央のブリッスル３１４は概して、そのような循環時に上昇運動および下降運動を実行し、可撓性壁部３１３ａ、３１３ｂの側のブリッスル３１４は、そのような循環時に横方向への往復運動を実行する。より短い代替サイクルでは、サイクルは、第１の動作状態と第２の動作状態のみの間で切り替えられ、その場合、図５ｃは、このより短いサイクルの一部ではなく、または第１の動作状態と第３の動作状態の間で切り替えられ、その場合、図５ｂはこのより短いサイクルの一部ではない。
【００９０】
マウスピース３１０の実施形態では、ブラッシングチャンバ３１２ａ、３１２ｂの各々は、支持構造３１１の内面に固定された管状部材を備え、管状部材は、ブリッスル３１４が設けられた可撓性壁部３１３ａ、３１３ｂを備える。
【００９１】
図６ａ、図６ｂ、および図６ｃは、マウスピース３３０の一実施形態の、それぞれに異なる動作状態における断面図を概略的に示す。この断面図は、図３１に定められた歯列弓の長さ全体にわたってほぼ同一である場合がある。
【００９２】
マウスピース３３０は支持構造３３１ａ、３３１ｂ、３３１ｃを備え、支持構造３３１ａ、３３１ｂ、３３１ｃは、２つの側部３３１ａおよび３３１ｂと、側部３３１ａと側部３３１ｂを接続する複数の中間部３３１ｃとを備える。これらの中間部はバーであってもよい。支持構造３３１は、上顎歯列弓および下顎歯列弓の複数の歯を包み込むように構成され、上顎歯列弓および下顎歯列弓のすべての歯を包み込むように構成されてもよい。歯表面に面するように構成された、支持構造３３１ａ、３３１ｂの内面側３３６に、単一のブラッシングチャンバ３３２が設けられる。
【００９３】
単一のブラッシングチャンバ３３２は第１の可撓性壁部３３３ａと第２の可撓性壁部３３３ｂとを備える。第１および第２の可撓性壁部３３３ａ、３３３ｂは、特にブラッシングチャンバ３３２を加圧または減圧することによって変形可能である。可撓性壁部３３３ａ、３３３ｂは、ゴム材料などの弾性材料から作られてもよい。可撓性壁部３３３ａ、３３３ｂは、非弾性材料から作られてもよい。可撓性壁部３３３ａ、３３３ｂの材料は、可撓性壁部３３３ａ、３３３ｂの内側および外側にわたって圧力差が実質的にまったくないか、または圧力差が小さいときに所定の形状を維持する場合がある。
【００９４】
ブリッスル３３５のタフト３３４は、ブラッシングチャンバ３３２ａ、３３２ｂの可撓性壁部３３３ａ、３３３ｂから外側に延びる。マウスピース３３０は、少なくとも、対応するブラッシングチャンバ３３２が加圧されたときに、ブリッスル３３５のタフトが歯列弓の歯の歯表面に係合するように構成される。図３１において定められた歯列弓の長さ方向において見たときに、ブリッスル３３５のタフト３３４は、（図６ａ、図６ｂ、図６ｃに示す）断面図で見るとほぼ同じ密度に配置される場合がある。
【００９５】
図６ａは、ブラッシングチャンバ３３２に対して加圧も減圧も行われていないときのマウスピース３３０の第１の動作状態を示す。図６ｂは、たとえば、ブラッシングチャンバ３３２に流体を供給するか、またはブラッシングチャンバ３３２内の流体の量を増加させることによって、ブラッシングチャンバ３３２が加圧されたときのマウスピース３３０の第２の動作状態を示す。図６ｂを見るとわかるように、加圧の結果として、第１および第２の可撓性壁部３３３ａ、３３３ｂは、ブラッシングチャンバ３３２の外側から見たときに凸形状をとり、それによって、ブリッスル３３５、特にその自由端が歯表面に係合することがあり、ならびに／または歯表面に接触して変形される場合がある。図６ｃは、たとえば、ブラッシングチャンバ３３２から流体を排出するか、またはブラッシングチャンバ３３２内の流体の量を減少させることによって、ブラッシングチャンバ３３２が減圧されたときのマウスピース３３０の第３の動作状態を示す。図６ｃを見るとわかるように、減圧の結果として、第１および第２の可撓性壁部３３３ａ、３３３ｂは、ブラッシングチャンバ３３２の外側から見たときに凹形状をとり、それによって、ブリッスル３３４、特にその自由端は歯表面に係合しないかもしくはほとんど係合しないことがあり、ならびに／または歯表面に接触して変形される場合がある。
【００９６】
ブラッシングチャンバ３３２を加圧し減圧して第１の動作状態から第２の動作状態に切り替え、次いで第２の動作状態から第１の動作状態に切り替え、次いで第１の動作状態から第３の動作状態に切り替え、その後第１の動作状態に戻り、その後そのようなサイクルを繰り返す適切なサイクルによって、マウスピースの最も効果的なブラッシング動作を得ることができる。可撓性壁部３３３ａ、３３３ｂの中央のブリッスル３３４は概して、そのような循環時に上昇運動および下降運動を実行し、可撓性壁部３３３ａ、３３３ｂの側のブリッスル３３４は概して、そのような循環時に横方向への往復運動を実行する。より短い代替サイクルでは、サイクルは、第１の動作状態と第２の動作状態のみの間で切り替えられ、その場合、図６ｃは、このより短いサイクルの一部ではなく、または第１の動作状態と第３の動作状態の間で切り替えられ、その場合、図６ｂはこのより短いサイクルの一部ではない。
【００９７】
マウスピース３１０の実施形態では、ブラッシングチャンバ３１２は、支持構造３１１の内面に固定された管状部材を備えてもよく、管状部材は、ブリッスル３１４が設けられた可撓性壁部３１３ａ、３１３ｂを備える。
【００９８】
図５ａ、図５ｂ、図５ｃの実施形態と図６ａ、図６ｂ、図６ｃの実施形態との間の主な違いは、図５ａ、図５ｂ、図５ｃの実施形態が、支持構造の中間部３１１ｃによって分割された２つのブラッシングチャンバを有し、それに対して、図６ａ、図６ｂ、図６ｃの実施形態が１つのブラッシングチャンバと複数の中間部３３１ｃとを有することである。図５ａ、５ｂ、５ｃの実施形態の中間部３１１ｃに、ブラッシングチャンバ３１２ａとブラッシングチャンバ３１２ｂを接続する複数の通路または１つのそのような通路を設けることによって、図５ａ、５ｂ、５ｃの実施形態は図６ａ、図６ｂ、図６ｃの実施形態とほぼ同じになる。
【００９９】
図７ａ、図７ｂ、図７ｃ、および図７ｄは、位置決めチャンバとブラッシングチャンバとを備えるマウスピース５０のさらなる実施形態の、それぞれに異なる動作状態における断面図を概略的に示す。
【０１００】
マウスピース５０は、支持構造５１を備える。支持構造５１は、上顎歯列弓および下顎歯列弓の複数の歯を包み込むように構成され、上顎歯列弓および下顎歯列弓のすべての歯を包み込むように構成されてもよい。歯表面に面するように構成された、支持構造５１の内面側に、第１、第２、第３、および第４の位置決めチャンバ５２ａ、５２ｂ、５２ｃ、および５２ｄが設けられる。さらに、第１、第２、第３、第４、第５、第６、第７、第８、第９、第１０、第１１、および第１２のブラッシングチャンバ５５ａ、５５ｂ、５５ｃ、５５ｄ、５５ｅ、５５ｆ、５５ｇ、５５ｈ、５５ｉ、５５ｊ、５５ｋ、および５５ｌが設けられる。第１の位置決めチャンバ５２ａは、支持構造５１の内面と第１、第２、および第３のブラッシングチャンバ５５ａ、５５ｂ、５５ｃとの間に配置される。第２の位置決めチャンバ５２ｂは、支持構造５１の内面と第４、第５、および第６のブラッシングチャンバ５５ｄ、５５ｅ、５５ｆとの間に配置される。第３の位置決めチャンバ５２ｃは、支持構造５１の内面と第７、第８、および第９のブラッシングチャンバ５５ｇ、５５ｈ、５５ｉとの間に配置される。第４の位置決めチャンバ５２ｄは、支持構造５１の内面と第１０、第１１、および第１２のブラッシングチャンバ５５ｊ、５５ｋ、５５ｌとの間に配置される。
【０１０１】
第１の位置決めチャンバ５２ａは第１の可撓性壁部５６ａを備える。第２の位置決めチャンバ５２ｂは第２の可撓性壁部５６ｂを備える。第３の位置決めチャンバ５２ｃは第３の可撓性壁部５６ｃを備える。第４の位置決めチャンバ５２ｄは第４の可撓性壁部５６ｄを備える。第１のブラッシングチャンバ５５ａは第５の可撓性壁部５３ａを備える。第２のブラッシングチャンバ５５ｂは第６の可撓性壁部５３ｂを備える。第３のブラッシングチャンバ５５ｃは第７の可撓性壁部５３ｃを備える。第４のブラッシングチャンバ５５ｄは第８の可撓性壁部５３ｄを備える。第５のブラッシングチャンバ５５ｅは第９の可撓性壁部５３ｅを備える。第６のブラッシングチャンバ５５ｆは第１０の可撓性壁部５３ｆを備える。第７のブラッシングチャンバ５５ｇは第１１の可撓性壁部５３ｇを備える。第８のブラッシングチャンバ５５ｈは第１２の可撓性壁部５３ｈを備える。第９のブラッシングチャンバ５５ｉは第１３の可撓性壁部５３ｉを備える。第１０のブラッシングチャンバ５５ｊは第１４の可撓性壁部５３ｊを備える。第１１のブラッシングチャンバ５５ｋは第１５の可撓性壁部５３ｋを備える。第１２のブラッシングチャンバ５５ｌは第１６の可撓性壁部５３ｌを備える。第１〜第１６の可撓性壁部５６ａ〜５６ｄ、５３ａ〜５３ｌは、特にそれぞれの対応する位置決めチャンバ５２ａ〜５２ｄおよびブラッシングチャンバ５５ａ〜５５ｌを加圧または減圧することによって変形可能である。可撓性壁部５６ａ〜５６ｄ、５３ａ〜５３ｌは、ゴム材料などの弾性材料から作られてもよい。可撓性壁部５６ａ〜５６ｄ、５３ａ〜５３ｌは、非弾性材料から作られてもよい。可撓性壁部５６ａ〜５６ｄ、５３ａ〜５３ｌの材料は、可撓性壁部５６ａ〜５６ｄ、５３ａ〜５３ｌの内側および外側にわたって圧力差が実質的にまったくないか、または圧力差が小さいときに所定の形状を維持する場合がある。
【０１０２】
ブリッスル５４のタフトは、ブラッシングチャンバ５５ａ〜５５ｌの可撓性壁部５３ａ〜５３ｌから外側に延びる。マウスピース５０は、図７ｂに示すように、少なくとも、対応する位置決めチャンバ５２ａおよび５２ｃまたは５２ｂおよび５２ｄがそれぞれ加圧されたときに、ブリッスル５４のタフトが歯列弓の歯５８の歯表面に係合するように構成される。
【０１０３】
図７ａは、第１〜第４の位置決めチャンバ５２ａ〜５２ｄおよび第１〜第１２のブラッシングチャンバ５５ａ〜５５ｌに対して加圧も減圧もされないときのマウスピース５０の第１の動作状態を示す。第１の動作状態では、マウスピース５０を人の口腔内に容易に移動させることができ、歯をブリッスル５４間に容易に配置することができる。
【０１０４】
図７ｂは、位置決めチャンバ５２ａおよび５２ｃが加圧されて第１、第２、第３、第７、第８、および第９のブラッシングチャンバ５５ａ、５５ｂ、５５ｃ、５５ｇ、５５ｈ、および５５ｉのブリッスル５４のタフトを歯５８の歯表面に係合させたときのマウスピース５０の第２の動作状態を示す。同様に、図７ｂには示されていないが、位置決めチャンバ５２ｂおよび５２ｄが加圧されて第４、第５、第６、第１０、第１１、および第１２のブラッシングチャンバ５５ｄ、５５ｅ、５５ｆ、５５ｊ、５５ｋ、および５５ｌのブリッスル５４のタフトを歯の歯表面に係合させてもよい。マウスピース５０の第２の動作状態では、ブラッシングチャンバ５５ａ〜５５ｌ対して加圧も減圧もされない。第２の動作状態は、歯磨きされる特定の歯の形状にぴったりと合うように第１、第２、第３、第７、第８、および第９のブラッシングチャンバ５５ａ、５５ｂ、５５ｃ、５５ｇ、５５ｈ、および５５ｉの位置を適応させる。
【０１０５】
図７ｃは、位置決めチャンバ５２ａおよび５２ｃが加圧されたままであり、さらに、たとえば、第１、第３、および第８のブラッシングチャンバ５５ａ、５５ｃ、および５５ｈに流体を供給するか、またはブラッシングチャンバ５５ａ、５５ｃ、および５５ｈ内の流体の量を増加させることによって、ブラッシングチャンバ５５ａ、５５ｃ、および５５ｈが加圧されたマウスピース５０の第３の動作状態を示す。位置決めチャンバ５２ｂおよび５２ｄに対しては加圧も減圧もされない。たとえば、第２、第７、および第９のブラッシングチャンバ５５ｂ、５５ｇ、および５５ｉから流体を排出するか、またはブラッシングチャンバ５５ｂ、５５ｇ、および５５ｉ内の流体の量を減少させることによって、ブラッシングチャンバ５５ｂ、５５ｇ、および５５ｉが減圧される。図７ｃを見るとわかるように、加圧の結果として、第１、第３、および第８の可撓性壁部５３ａ、５３ｃ、および５３ｈは、対応するブラッシングチャンバ５５ａ、５５ｃ、および５５ｈの外側から見たときに凸形状をとり、それによって、ブリッスル５４、特にその自由端が歯表面に係合することがあり、ならびに／または歯表面に接触して変形される場合がある。第２、第７、および第９の可撓性壁部５３ｂ、５３ｇ、および５３ｉは、対応する第２、第７、および第９のブラッシングチャンバ５５ｂ、５５ｇ、および５５ｉの外側から見たときに凹形状をとり、それによって、ブリッスル５４、特にその自由端は歯表面に係合することも係合しないこともあり、ならびに／または歯表面に接触して変形される場合がある。
【０１０６】
図７ｄは、位置決めチャンバ５２ａおよび５２ｃが加圧されたままであり、さらに、たとえば、第２、第７、および第９のブラッシングチャンバ５５ｂ、５５ｇ、および５５ｉに流体を供給するか、または第２、第７、および第９のブラッシングチャンバ５５ｂ、５５ｇ、および５５ｉ内の流体の量を増加させることによって、第２、第７、および第９のブラッシングチャンバ５５ｂ、５５ｇ、および５５ｉが加圧されたマウスピース５０の第４の動作状態を示す。まず、第１、第３、および第８のブラッシングチャンバ５５ａ、５５ｃ、および５５ｈから流体を排出するか、またはブラッシングチャンバ５５ａ、５５ｃ、および５５ｈ内の流体の量を減少させることによって、ブラッシングチャンバ５５ａ、５５ｃ、および５５ｈが減圧される。加圧の結果として、第２、第７、および第９の可撓性壁部５３ｂ、５３ｇ、および５３ｉは、対応するブラッシングチャンバ５５ｂ、５５ｇ、および５５ｉの外側から見たときに凸形状をとり、それによって、ブリッスル５４、特にその自由端は歯表面に係合することがあり、ならびに／または歯表面に接触して変形される場合がある。第１、第３、および第８の可撓性壁部５３ａ、５３ｃ、および５３ｈは、対応する第１、第３、および第８のブラッシングチャンバ５５ａ、５５ｃ、および５５ｈの外側から見たときに凹形状をとり、それによって、ブリッスル５４、特にその自由端が歯表面に係合することも係合しないこともあり、もしくはほとんど係合しないことがあり、ならびに／または歯表面に接触して変形される場合がある。
【０１０７】
ブラッシングチャンバ５５ａ〜５５ｃおよび５５ｇ〜５５ｉを加圧し減圧して第３の動作状態（図７ｃ）から第４の動作状態（図７ｄ）に切り替え、次いで第４の動作状態から第３の動作状態に切り替え、位置決めチャンバ５２ａおよび５２ｃの加圧を維持しながらそのようなサイクルを繰り返す適切なサイクルによって、マウスピースの最も効果的なブラッシング動作を得ることができる。位置決めチャンバ５２ａ、５２ｃを加圧することによって、ブリッスル５４は、歯間面を含む歯のほぼ全面に確実に接触する。可撓性壁部５３ａ〜５３ｃおよび５３ｇ〜５３ｉのブリッスル３３４は概して、そのような循環時に上昇運動および下降運動を実行し、可撓性壁部５３ｃおよび５３ｉのいくつかのブリッスル５４は、そのような循環時に横方向への往復運動を実行する。
【０１０８】
マウスピース５０の実施形態では、ブラッシングチャンバ５５ａ〜５５ｃの各々は、位置決めチャンバ５２ａに固定された管状部材を備え、位置決めチャンバ５２ａも管状部材として形作られる。ブラッシングチャンバ５５ｄ〜５５ｆの各々は、位置決めチャンバ５２ｂに固定された管状部材を備え、位置決めチャンバ５２ｂも管状部材として形作られる。ブラッシングチャンバ５５ｇ〜５５ｉの各々は、位置決めチャンバ５２ｃに固定された管状部材を備え、位置決めチャンバ５２ｃも管状部材として形作られる。ブラッシングチャンバ５５ｊ〜５５ｌの各々は、位置決めチャンバ５２ｄに固定された管状部材を備え、位置決めチャンバ５２ｄも管状部材として形作られる。第１〜第１２のブラッシングチャンバ５５ａ〜５５ｌを形成する管状部材は、それぞれブリッスル５４が設けられた可撓性壁部５３ａ〜５３ｌを備える。第１〜第４の位置決めチャンバ５２ａ〜５２ｄを形成する管状部材は、関連するブラッシングチャンバ５５ａ〜５５ｌがそれぞれの関連する位置決めチャンバ５２ａ〜５２ｄを含む共通の壁を有するように形成される可撓性壁部を備える。第１〜第４の位置決めチャンバ５２ａ〜５２ｄを形成する管状部材の一部は、支持構造５１に取り付けられる。管状部材は、たとえば押出し成形によって一体的に形成されてもよい。
【０１０９】
図８および図９は、可撓性材料から作られたブラダを含み、可撓性壁部が、ブラダを加圧または減圧することによって変形可能である、位置決めチャンバまたはブラッシングチャンバの実施形態を示す。図８の実施形態では、位置決めチャンバまたはブラッシングチャンバ６０は、少なくとも１つの可撓性壁部６２を有する。位置決めチャンバまたはブラッシングチャンバ６０にはブラダ６４が含まれる。ブラダ６４は可撓性材料から作られる。ブラダ６４は、弾力性のある材料から作られてもよい。図９の実施形態では、マウスピース７０は、それぞれの可撓性壁部７４ａ、７４ｂ、７４ｃ、７４ｄ、７４ｅ、および７４ｆを有する第１、第２、第３、第４、および第５のブラッシングチャンバ７２ａ、７２ｂ、７２ｃ、７２ｄ、および７２ｅを備える。第１、第２、第３、第４、および第５のブラッシングチャンバ７２ａ、７２ｂ、７２ｃ、７２ｄ、および７２ｅは、それぞれ可撓性材料および／または弾力性のある材料から作られた第１、第３、第４、および第５のブラダ７６ａ、７６ｂ、７６ｃ、７６ｄ、７６ｅを含む。
【０１１０】
各ブラダ６４、７６ａ、７６ｂ、７６ｃ、７６ｄ、７６ｅには、ブラダ６４、７６ａ、７６ｂ、７６ｃ、７６ｄ、７６ｅ内への流体の供給およびブラダ６４、７６ａ、７６ｂ、７６ｃ、７６ｄ、７６ｅからの流体の排出によってそれぞれ、関連するブラッシングチャンバ６０、７２ａ、７２ｂ、７２ｃ、７２ｄ、７２ｅを加圧し減圧するのを可能にするように構成された開口部が設けられる。ブラッシングチャンバ６０、７２ａ、７２ｂ、７２ｃ、７２ｄ、７２ｅの各々は、密閉されてもよく、またはブラッシングチャンバ６０、７２ａ、７２ｂ、７２ｃ、７２ｄ、７２ｅの外部と開放流体連通してもよい。加圧時には、ブラダ６４、７６ａ、７６ｂ、７６ｃ、７６ｄ、７６ｅの体積が増加してブラッシングチャンバ６０、７２ａ、７２ｂ、７２ｃ、７２ｄ、７２ｅの可撓性壁部７４ａ、７４ｂ、７４ｃ、７４ｄ、７４ｅ、および７４ｆを外側に押す。減圧時には、ブラダ６４、７６ａ、７６ｂ、７６ｃ、７６ｄ、７６ｅの体積が減少してブラッシングチャンバ６０、７２ａ、７２ｂ、７２ｃ、７２ｄ、７２ｅの可撓性壁部７４ａ、７４ｂ、７４ｃ、７４ｄ、７４ｅ、および７４ｆが内側に移動するのを可能にする。したがって、ブラダ６４、７６ａ、７６ｂ、７６ｃ、７６ｄ、７６ｅを加圧し減圧すると、可撓性壁部７４ａ、７４ｂ、７４ｃ、７４ｄ、７４ｅ、および７４ｆから外側に延びるブリッスルのブラッシング動作が生じる。
【０１１１】
ブラダ６４、７６ａ、７６ｂ、７６ｃ、７６ｄ、７６ｅの加圧または減圧はそれぞれ、ブラダ６４、７６ａ、７６ｂ、７６ｃ、７６ｄ、７６ｅ内に流体を供給するか、もしくはブラダ６４、７６ａ、７６ｂ、７６ｃ、７６ｄ、７６ｅから流体を排出するか、またはブラダ６４、７６ａ、７６ｂ、７６ｃ、７６ｄ、７６ｅ内の流体の量を増加させるかもしくはブラダ６４、７６ａ、７６ｂ、７６ｃ、７６ｄ、７６ｅ内の流体の量を増加させることによって実行することができる。
【０１１２】
図１０ａは、位置決めチャンバまたはブラッシングチャンバのさらなる実施形態を示し、図１０ｂ、図１０ｃ、および図１０ｄは、位置決めチャンバまたはブラッシングチャンバのそのようなさらなる種類の実施形態を組み込んだマウスピースのさらなる実施形態を示す。
【０１１３】
図１０ａによれば、位置決めチャンバまたはブラッシングチャンバ８０は、縁部８２ａを有する壁部材８２を備え、縁部８２ａは、支持構造８４の内面に固定される。壁部材８２は、可撓性壁部８３から外側に延びるブリッスルが設けられる可撓性壁部８３を備える。壁部材８２の縁部８２ａの固定は、共押出、成形、接着、溶接または任意の他の適切な方法によって行われてもよい。
【０１１４】
図１０ｂは、中心部８５ａを備える支持構造８５を有するマウスピース８１ａを示す。壁部材８６ａは、ブラッシングチャンバ８７ａ、８７ｂ、および８７ｃを形成し、壁部材８６ａの縁部８８ａ、８８ｂ、８８ｃ、および８８ｄは、支持構造８５の上部内面に固定される。壁部材８６ｂはブラッシングチャンバ８７ｄ、８７ｅ、および８７ｆを形成し、壁部材８６ｂの縁部８８ｅ、８８ｆ、８８ｇ、および８８ｈは、支持構造８５の下部内面に固定される。ブラッシングチャンバ８７ａ〜８７ｆはそれぞれ、可撓性壁部８９ａ〜８９ｆを備える。
【０１１５】
図１０ｃのマウスピース８１ｂの実施形態は、図１０ｂに示す支持構造８５の中心部８５ａが図１０ｃの実施形態では除去されている点が図１０ｂの実施形態とは異なる。したがって、図１０ｂに示すブラッシングチャンバ８７ｂとブラッシングチャンバ８７ｅは、図１０ｃによるブラッシングチャンバ８７ｇとして組み合わされる。
【０１１６】
図１０ｃの実施形態では、壁部材８６ａは、ブラッシングチャンバ８７ａおよび８７ｃを形成し、ブラッシングチャンバ８７ｇを部分的に形成し、壁部材８６ａの縁部８８ａ、８８ｂ、８８ｃ、および８８ｄは支持構造８５の上部内面に固定される。壁部材８６ｂは、ブラッシングチャンバ８７ｄおよび８７ｆを形成し、ブラッシングチャンバ８７ｇを部分的に形成し、壁部材８６ｂの縁部８８ｅ、８８ｆ、８８ｇ、および８８ｈは支持構造８５の下部内面に固定される。ブラッシングチャンバ８７ａ、８７ｃ、８７ｄ、８７ｆ、および８７ｇはそれぞれ、可撓性壁部８９ａ〜８９ｆを備える。
【０１１７】
図１０ｄのマウスピース８１ｃの実施形態は、図１０ｄに示す実施形態では、図１０ｂに示す支持構造の中心部８５ａが全体的に除去されており、縁部８８ｂおよび８８ｆ、ならびに縁部８８ｃおよび８８ｇがそれぞれ相互接続される点で、図１０ｂの実施形態とは異なる。図１０ｃと同様に、図１０ｂに示すブラッシングチャンバ８７ｂとブラッシングチャンバ８７ｅは、図１０ｄによるブラッシングチャンバ８７ｇとして組み合わされる。
【０１１８】
図１０ｄの実施形態では、壁部材８６ｃは、ブラッシングチャンバ８７ａ、８７ｃ、８７ｄ、８７ｆ、および８７ｇを形成し、壁部材８６ｃの縁部８８ａ〜８８ｈは支持構造８５の内面に固定される。ブラッシングチャンバ８７ａ、８７ｂ、８７ｃ、８７ｆ、および８７ｇはそれぞれ、可撓性壁部８９ａ〜８９ｆを備える。
【０１１９】
図１０ａ〜図１０ｄの代替実施形態では、支持構造８４、８５は、その内面に、壁部材８２、８６ａ、８６ｂ、８６ｃが固定された１つまたは複数の窪みを含んでもよく、壁部材は可撓性壁部８３、８９ａ〜８９ｆを備える。
【０１２０】
図１１、図１２、および図１３は、位置決めチャンバまたはブラッシングチャンバを形成する管状部材の実施形態を示す。管状部材は、長手方向縁部を有する細長いストリップで作られる。ストリップは、その長手方向縁部に沿って相互接続される。
【０１２１】
図１１は、接着、溶接、または任意の他の適切な方法によって互いに接続された縁部または縁部領域９２ａ、９２ｂを有する細長いストリップ９２によって形成される位置決めチャンバまたはブラッシングチャンバ９０を示す。ストリップ９２は支持構造９４に接続され、それによって、位置決めチャンバまたはブラッシングチャンバ９０は支持構造９４に接続される。位置決めチャンバまたはブラッシングチャンバ９０は、可撓性壁部９６から外側に延びるブリッスルが設けられる可撓性壁部９６を備える。
【０１２２】
図１２は、接着、溶接、または任意の他の適切な方法によって互いに接続された縁部または縁部領域１０４ａ、１０４ｂを有する細長いストリップ１０２ａ、１０２ｂによって形成される位置決めチャンバまたはブラッシングチャンバ１００を示す。ストリップ１０２ａは支持構造１０６の内面に接続され、それによって、位置決めチャンバまたはブラッシングチャンバ１００は支持構造１０６に接続される。位置決めチャンバまたはブラッシングチャンバ１００は、可撓性壁部１０８から外側に延びるブリッスルが設けられるストリップ１０２ｂの可撓性壁部１０８を備える。支持構造１０６に接続されたストリップ１０２ａは、ストリップ１０２ｂ、少なくともその可撓性壁部１０８に対して比較的高い剛性を有してもよい。
【０１２３】
図１３は、接着、溶接、または任意の他の適切な方法によって互いに接続された縁部または縁部領域１１４ａ、１１４ｂを有する２つの細長いストリップ１１２ａ、１１２ｂによって形成される位置決めチャンバまたはブラッシングチャンバ１１０を示す。ストリップ１１２ａは支持構造１１６の内面に接続され、それによって、位置決めチャンバまたはブラッシングチャンバ１００は支持構造１１６に接続される。位置決めチャンバまたはブラッシングチャンバ１１０は、可撓性壁部１１８から外側に延びるブリッスルが設けられるストリップ１１２ｂの可撓性壁部１１８を備える。支持構造１１６に接続されたストリップ１１２ａは、ストリップ１１２ｂ、少なくともその可撓性壁部１１８に対して比較的高い剛性を有してもよい。
【０１２４】
図１〜図１３によるマウスピースの実施形態では、少なくとも１つのブラッシングチャンバは、歯列弓の舌側面、顔側面、および皎合面または切縁のうちの少なくとも１つに面するように構成され、ブリッスルは、チャンバが加圧されたときに歯列弓の舌側面、顔側面、および皎合面または切縁のうちの少なくとも１つに係合するように構成される。
【０１２５】
図１、図２ａ〜図２ｃ、図３、図４ａ〜図４ｃ、図７ａ〜図７ｄ、図１０ｂ〜図１０ｄによるマウスピースの実施形態では、支持構造は、歯列弓当たり３つのブラッシングチャンバを備え、３つのブラッシングチャンバのうちの第１のブラッシングチャンバは、歯列弓の舌側面に面するように構成され、３つのブラッシングチャンバのうちの第２のブラッシングチャンバは、歯列弓の顔側面に面するように構成され、３つのブラッシングチャンバのうちの第３のブラッシングチャンバは、歯列弓の皎合面または切縁に面するように構成され、ブリッスルは、対応する第１、第２、または第３のブラッシングチャンバが加圧されたときに歯列弓の舌側面、顔側面、および皎合面または切縁のうちの少なくとも１つに接触するように構成される。
【０１２６】
図７ａ〜図７ｄによるマウスピースの実施形態では、切歯を包み込む支持構造の部分は、歯列弓当たり少なくとも２つのブラッシングチャンバを備え、２つのブラッシングチャンバのうちの第１のブラッシングチャンバは、切歯の舌側面に面するように構成され、２つのブラッシングチャンバのうちの第２のブラッシングチャンバは、切歯の顔側面に面するように構成され、ブリッスルは、対応する第１または第２のブラッシングチャンバが加圧されたときに切歯の舌側面および顔側面の少なくとも一方に接触するように構成される。
【０１２７】
図１４は、たとえば、共押出によって同じ材料から一体的に作られた可撓性壁部１２０とブリッスル１２２またはブリッスルのタフタを示す。
【０１２８】
図１５は、ブリッスル１３２またはブリッスルのタフタがブラッシングチャンバの可撓性壁部またはブリッスル支持体１３０にインサート成形によって固定された可撓性壁部またはブリッスル支持体１３０を示す。ブリッスル支持体は、ブラッシングチャンバの可撓性壁部に接触するか、または付着させるか、または固定することができる。
【０１２９】
図１５ａは、ブリッスル１３６が埋め込まれたブリッスル支持体１３４の一実施形態の上面図を概略的に示す。ブリッスル支持体１３４は、ブラッシングチャンバの可撓性壁部に接触するか、または付着させるか、または固定させることができる。ブリッスル支持体１３４は、図１５ａに示すようネット状構成を有するか、または任意の他の構成を有することができる。
【０１３０】
図１６は、クラミングによって可撓性壁部またはブリッスル支持体１４０の穴１４４内にブリッスル１４２のタフトを固定することを示す。
【０１３１】
図１７ａは、接着剤１５１を塗布することによって可撓性壁部またはブリッスル支持体１５０の穴１５３内にブリッスル１５２のタフトを固定することを示す。図１７ｂは、接着剤１５５を塗布することによって可撓性壁部１５４上に設けられたブリッスル支持体１５８の穴１５７内にブリッスル１５６のタフトを固定することを示す。
【０１３２】
図１８は、ブリッスル支持体１６４上にブリッスル１６２のタフトを固定することを示す。ブリッスル支持体１６４は、ブラッシングチャンバの可撓性壁部１６０の窪み１６６に付着させるかまたは窪み１６６内に固定される。
【０１３３】
図１９は、ブリッスル支持体１７４上にブリッスル１７２のタフトを固定することを示す。ブリッスル支持体１７４は、ブラッシングチャンバの可撓性壁部１７０に埋め込まれる。
【０１３４】
図２０は、ブリッスル支持体１８４上にブリッスル１８２のタフトを固定することを示す。ブリッスル支持体１８４は、特にブラッシングチャンバの内側においてブラッシングチャンバの可撓性壁部１８０の側部に固定される。ブリッスル１８２のタフトは、可撓性壁部１８０のそれぞれの穴１８６を通して突き出る。ブリッスル支持体１８４は穴１８６と重なり合う。
【０１３５】
図２１は、ブリッスル支持体１９４上にブリッスル１９２のタフトを固定することを示す。ブリッスル支持体１９４は、接着剤１９６によってブラッシングチャンバの可撓性壁部１９０上に接着される。
【０１３６】
図２２は、ハンドル部材２０２とそれに結合されたマウスピース２０４とを備える歯洗浄デバイス２００の部分切欠き斜視図を概略的に示す図である。ハンドル部材２０２には、ハンドル接触面が設けられ、マウスピース２０４には、ハンドル接触面に脱着可能に結合されるように構成されたマウスピース接触面が設けられる。ハンドル部材２０２は、バッテリ充電接触面２１２を通してバッテリ２１０に供給することができる電気エネルギーを蓄積するためのバッテリ２１０を備える。バッテリ２１０は、プリント基板、ＰＣＢ２１４、モータ２１６と変速機２１８とクランクピストン２２０とピストンポンプ２２２とを備えるメインポンピングユニット、およびマウスワッシュポンプ２２４にエネルギーを供給する。
【０１３７】
ピストンポンプ２２２からマウスピース２０４に至る１つまたは複数のダクト２４２および場合によっては他のダクト内にブラッシング弁ユニット２４０が含まれる。マウスワッシュポンプ２２４からマウスピース２０４に至るダクト２５２内に洗浄弁ユニット２５０が含まれる。ブラッシング弁ユニット２４０および洗浄弁ユニット２５０は、同じくバッテリ２１０からエネルギーを受け取る電子弁を備える。マウスワッシュポンプ２２４は、ダクト２５４を通してマウスワッシュカプセル２３０と流体連通する。
【０１３８】
歯洗浄デバイス２００の動作はＰＣＢ２１４によって制御される。ＰＣＢ２１４は、モータ２１６の動作、マウスワッシュポンプ２２４の動作、およびブラッシング弁ユニット２４０および洗浄弁ユニット２５０に備えられた弁の動作を制御してもよい。特に、歯洗浄デバイスが歯磨きに使用され、歯列弓の複数の歯がマウスピース２０４によって包み込まれるとき、ＰＣＢ２１４は、歯洗浄デバイス２００を制御してマウスピース２０４の支持構造の内面側に設けられた少なくとも１つのブラッシングチャンバの加圧と減圧を交互に行ってもよい。少なくとも２つの隣接するブラッシングチャンバがマウスピース２０４の支持構造の内面側に設けられ、２つのブラッシングチャンバのそれぞれの可撓性壁部が、互いに隣接し、同じ歯表面の隣接する部分に面する場合、ＰＣＢ２１４は、歯洗浄デバイスを制御して（ａ）２つのブラッシングチャンバの一方を加圧し、同時に２つのブラッシングチャンバの他方を減圧することと、（ｂ）２つのブラッシングチャンバの前記一方を減圧し、同時に２つのブラッシングチャンバの前記他方を加圧することとを含むブラッシングサイクルを繰り返してもよい。位置決めチャンバがマウスピース２０４の支持構造の内面とマウスピース２０４の少なくとも１つのブラッシングチャンバとの間に位置する場合、ＰＣＢ２１４は、歯洗浄デバイスを制御して、複数の歯を包み込む前に位置決めチャンバを減圧し、複数の歯を包み込んだ後に位置決めチャンバを加圧し、マウスピース２０４の少なくとも１つのブラッシングチャンバを加圧し減圧する間位置決めチャンバを加圧された状態に維持してもよい。
【０１３９】
図２３は、マウスピースに結合された（マウスピースと流体連通する）流体加圧および減圧デバイスの第１の実施形態を概略的に示す。図２３の加圧および減圧デバイスは、ダクト２４５を通して電子弁２４４と流体連通するポンプ２２２を備える。ポンプ２２２は、ピストンポンプまたは別の種類のポンプであってもよい。電子弁２４４は、ダクト２４２を通してマウスピース２０４と流体連通してマウスピース２０４の位置決めチャンバまたはブラッシングチャンバの加圧または減圧を制御する。電子弁２４４は、ＰＣＢ２１４によって制御可能な三方弁であってもよい。
【０１４０】
ポンプ２２２は空気圧などの過大圧力（すなわち、環境圧よりも高い圧力）をダクト２４５内に蓄積してもよい。次いで、電子弁２４４が開いてダクト２４５からダクト２４２への流体接続を可能にしてダクト２４２を加圧し、それによって、ダクト２４２と流体連通しているブラッシングチャンバまたは位置決めチャンバを加圧してもよい。しばらくして、電子弁２４４が再び閉じられてダクト２４２をダクト２４５から切り離してもよい。次いで、電子弁２４４は、さらに開口部２４３を通してダクト２４２から環境への流体接続を可能にしてもよく、それによってダクト２４２およびダクト２４２と流体連通しているブラッシングチャンバまたは位置決めチャンバは、環境圧まで減圧してもよい。
【０１４１】
ポンプ２２２（の別の実施形態）が空気圧などの過小圧力（すなわち、環境圧よりも低い圧力）をダクト２４５内に蓄積することも可能である。次いで、電子弁２４４が開いてダクト２４５からダクト２４２への流体接続を可能にしてダクト２４２を減圧し、それによって、ダクト２４２と流体連通しているブラッシングチャンバまたは位置決めチャンバを減圧してもよい。しばらくして、電子弁２４４が再び閉じられてダクト２４２をダクト２４５から切り離してもよい。次いで、電子弁２４４は、さらに開口部２４３を通してダクト２４２から環境への流体接続を可能にしてもよく、それによってダクト２４２およびダクト２４２と流体連通しているブラッシングチャンバまたは位置決めチャンバは、環境圧まで加圧してもよい。
【０１４２】
図２４は、マウスピースに結合された（マウスピースと流体連通する）流体加圧および減圧デバイスの第２の実施形態を概略的に示す。図２４の加圧および減圧デバイスは、ダクト２４５ａ、２４５ｂを通して電子弁２４４ａと流体連通するポンプ２２２ａを備える。ポンプ２２２ａは、ピストンポンプまたは他の種類のポンプであってもよい。電子弁２４４ａはダクト２４２を通してマウスピース２０４と流体連通してマウスピース２４０の位置決めチャンバまたはブラッシングチャンバの加圧または減圧を制御する。電子弁２４４ａは、ＰＣＢ２１４によって制御可能な五方弁であってもよい。
【０１４３】
図２４の実施形態では、ポンプ２２２ａは空気圧などの過大圧力（すなわち、環境圧よりも高い圧力）をダクト２４５ａ内に蓄積してもよい。次いで、電子弁２４４ａが開いてダクト２４５ａからダクト２４２への流体接続を可能にしてダクト２４２を加圧し、それによって、ダクト２４２と流体連通しているブラッシングチャンバまたは位置決めチャンバを加圧してもよい。しばらくして、電子弁２４４ａが再び閉じられてダクト２４２をダクト２４５ａから切り離してもよい。次いで、電子弁２４４ ａは、さらに開口部２４３ａを通してダクト２４２から環境への流体接続を可能にしてもよく、それによってダクト２４２およびダクト２４２と流体連通しているブラッシングチャンバまたは位置決めチャンバは、環境圧まで減圧してもよい。
【０１４４】
ポンプ２２２ａは、空気圧などの過小圧力（すなわち、環境圧よりも低い圧力）をダクト２４５ｂ内にさらに蓄積してもよい。次いで、電子弁２４４ａが開いてダクト２４５ｂからダクト２４２への流体接続を可能にしてダクト２４２を加圧し、それによって、ダクト２４２と流体連通しているブラッシングチャンバまたは位置決めチャンバを加圧してもよい。しばらくして、電子弁２４４ａが再び閉じられてダクト２４２をダクト２４５ｂから切り離してもよい。次いで、電子弁２４４ａは、さらに開口部２４３ｂを通してダクト２４２から環境への流体接続を可能にしてもよく、それによってダクト２４２およびダクト２４２と流体連通しているブラッシングチャンバまたは位置決めチャンバは、環境圧まで減圧してもよい。
【０１４５】
代替実施形態では、ポンプ２２２ａは、ダクト２４５ｂ内に過大圧力を生じさせ、ダクト２４５ａ内に過小圧力を生じさせるように構成されてもよい。
【０１４６】
図２５は、マウスピースに結合された（マウスピースと流体連通する）流体加圧および減圧デバイスの第３の実施形態を概略的に示す。図２５の加圧および減圧デバイスは、ダクト２４５ａ、２４５ｂを通して電子弁２４４ｂと流体連通するポンプ２２２ｂを備える。ポンプ２２２ｂは、ピストンポンプまたは別の種類のポンプであってもよい。電子弁２４４ｂは、ダクト２４２ａ、２４２ｂを通してマウスピース２０４と流体連通してマウスピース２０４の位置決めチャンバおよびブラッシングチャンバ、または２つの位置決めチャンバ、または２つのブラッシングチャンバの加圧または減圧を制御する。電子弁２４４ｂは、ＰＣＢ２１４によって制御可能な四方弁である。
【０１４７】
図２５の実施形態では、ポンプ２２２ｂは空気圧などの過大圧力（すなわち、環境圧よりも高い圧力）をダクト２４５ａ内に蓄積してもよい。次いで、電子弁２４４ａが開いてダクト２４５ａからダクト２４２ａへの流体接続を可能にしてダクト２４２ａを加圧し、それによって、ダクト２４２ａと流体連通しているブラッシングチャンバまたは位置決めチャンバを加圧してもよい。電子弁２４４ａはさらに開いてダクト２４５ｂからダクト２４２ｂへの流体接続を可能にしてダクト２４２ｂを減圧し、それによってダクト２４２ｂと流体連通しているブラッシングチャンバまたは位置決めチャンバを減圧してもよい。しばらくして、電子弁２４４ｂが再び閉じられてダクト２４２ａ、２４２ｂをダクト２４５ａ、２４５ｂから切り離してもよい。次いで、電子弁２４４ａが開いてダクト２４５ａからダクト２４２ｂへの流体接続を可能にしてダクト２４２ｂを加圧し、それによって、ダクト２４２ｂと流体連通しているブラッシングチャンバまたは位置決めチャンバを加圧してもよい。電子弁２４４ａはさらに開いてダクト２４５ｂからダクト２４２ａへの流体接続を可能にしてダクト２４２ａを減圧し、それによってダクト２４２ａと流体連通しているブラッシングチャンバまたは位置決めチャンバを減圧してもよい。しばらくして、電子弁２４４ｂが再び閉じられてダクト２４２ａ、２４２ｂをダクト２４５ａ、２４５ｂから切り離してもよい。このようにして、ダクト２４２ａ、２４２ｂは交互に加圧され減圧される。
【０１４８】
図２６は、マウスピースに結合された（マウスピースと流体連通する）流体加圧および減圧デバイスの第４の実施形態を概略的に示す。図２６の加圧および減圧デバイスは、図２４の実施形態と同様に、ダクト２４５ａ、２４５ｂを通して電子弁２４４ａと流体連通するポンプ２２２ａを備える。電子弁２４４ａは、ダクト２４２を通してマウスピース２０４と流体連通してマウスピース２０４の位置決めチャンバまたはブラッシングチャンバの加圧または減圧を制御する。電子弁２４４ｂは、ＰＣＢ２１４によって制御可能な五方弁である。ダクト２４５ｂから、マウスワッシュ弁２４８に通じる分岐ダクト２４７ａが設けられている。マウスワッシュ弁２４８は、ダクト２４７ｂを通してマウスワッシュカプセル２３０と流体連通し、ポンプ２２２ａから高圧空気がマウスワッシュ液を、マウスワッシュカプセル２３０からダクト２４７ｃを通してマウスピース２０４に送り出すことを可能にする。
【０１４９】
図２７は、マウスピースに結合された（マウスピースと流体連通する）流体加圧および減圧デバイスの第５の実施形態を概略的に示す。図２７の加圧および減圧デバイスは、図２４の実施形態と同様に、ダクト２４５ａ、２４５ｂを通して電子弁２４４ａと流体連通するポンプ２２２ａを備える。電子弁２４４ａは、ダクト２４２を通してマウスピース２０４と流体連通してマウスピース２０４の位置決めチャンバまたはブラッシングチャンバの加圧または減圧を制御する。電子弁２４４ａは、ＰＣＢ２１４によって制御可能な五方弁である。マウスワッシュポンプ２２４は、ＰＣＢ２１４によってそうするように制御されたとき、マウスワッシュ液をマウスワッシュカプセル２３０からマウスピース２０４にダクト２５２を通して送り出す。
【０１５０】
図２８ａおよび図２８ｂはそれぞれ、断面図および上面図において、マウスピース２６０内の洗浄流体構成の第１の実施形態を概略的に示す。洗浄流体構成の第１の実施形態は、複数の歯の切歯の領域に歯洗浄流体を供給するように構成され、上顎歯列弓の切歯の領域に歯洗浄流体を供給するように構成された第１の放出口２６１と、下顎歯列弓の切歯の領域に歯洗浄流体を供給するように構成された第２の放出口２６２とを備える。歯洗浄流体は、ダクト２６３を通してブリッスル２６４の近くの第１および第２の放出口２６１、２６２に供給され、それによって、歯洗浄流体をブリッスル２６４によって歯表面全体にわたって分散させることができる。
【０１５１】
図２９ａおよび図２９ｂはそれぞれ、断面図および上面図において、マウスピース２７０内の洗浄流体構成の第２の実施形態を概略的に示す。洗浄流体構成の第２の実施形態は、第１の放出口２７１ａ、２７１ｂ、２７１ｃ、２７１ｄ、２７１ｅ、２７１ｆ、および２７１ｇを通して上顎歯列弓の領域に歯洗浄流体を供給し、追加の第２の放出口２７２ａ〜２７２ｇ（図２９ａでは放出口２７２ｇのみが見える）を通して下顎歯列弓の領域に歯洗浄流体を供給するように構成される。歯洗浄流体は、ダクト２７３を通してブリッスル２７４の近くの第１および第２の放出口２７１ａ〜２７１ｇ、２７２ａ〜２７２ｇに供給され、それによって、歯洗浄流体をブリッスル２７４によって歯表面全体にわたって分散させることができる。
【０１５２】
図３０ａおよび図３０ｂはそれぞれ、断面図および上面図において、マウスピース２８０内の洗浄流体構成の第３の実施形態を概略的に示す。洗浄流体構成の第３の実施形態は、第１の放出口２８１ａ、２８１ｂ、２８１ｃ、２８１ｄ、２８１ｅ、２８１ｆ、および２８１ｇ、２９１ａ、２９１ｂ、２９１ｃ、２９１ｄ、２９１ｅ、２９１ｆ、および２９１ｇを通して上顎歯列弓の領域に歯洗浄流体を供給し、追加の第２の放出口２８２ａ〜２８２ｇ、２９２ａ〜２９２ｇ（図３０ａでは放出口２８２ｇおよび２９２ｇのみが見える）を通して下顎歯列弓の領域に歯洗浄流体を供給するように構成される。歯洗浄流体は、ダクト２８３を通してブリッスル２８４の近くの第１および第２の放出口２８１ａ〜２８１ｇ、２９１ａ〜２９１ｇ、２８２ａ〜２８２ｇ、２９２ａ〜２９２ｇに供給され、それによって、歯洗浄流体をブリッスル２８４によって歯表面全体にわたって分散させることができる。
【０１５３】
以下の節では、上述の本発明の例およびこれらの発明のさらなる態様および実施形態を示す。
１．マウスピースであって、
-  歯列弓の複数の歯を包み込むように構成された支持構造であって、歯表面に面するように構成された内面を有する支持構造と、
-  支持構造の内面側に設けられた少なくとも１つのブラッシングチャンバであって、可撓性壁部を備え、可撓性壁部がブラッシングチャンバを加圧または減圧することによって変形可能である、ブラッシングチャンバと、
-  ブラッシングチャンバの可撓性壁部から外側に延びるブリッスルとを備えるマウスピース。
２．上顎歯列弓および下顎歯列弓において磨くべき複数の歯を包み込むためのマウスピースであって、
上顎歯列弓および下顎歯列弓の各々は、
舌側面と、
顔側面と、
皎合面および切縁とを備える歯表面を有し、
舌側面は舌に面し、顔側面は顔に面し、上顎歯列弓の皎合面および切縁は、それぞれ下顎歯列弓の皎合面および切縁に面し、
マウスピースは、歯列弓の複数の歯を包み込むように構成された支持構造を備え、磨くべき歯の歯表面に面するように構成された内面を有し、
マウスピースは、支持構造の内面の側に設けられた少なくとも１つのブラッシングチャンバをさらに備え、
少なくとも１つのブラッシングチャンバは可撓性壁部を備え、可撓性壁部は、ブラッシングチャンバとは反対側を向いた外側を有し、少なくとも１つのブラッシングチャンバは、その可撓性壁部の外側、すなわち、上顎歯列弓および下顎歯列弓において磨くべき歯の舌側面および顔側面および皎合面および切縁に面するように構成され、
マウスピースは、可撓性壁部の外側に設けられ、可撓性壁部の外側から歯表面まで延びるブリッスルをさらに備え、
少なくとも１つのブラッシングチャンバの可撓性壁部は、少なくとも１つのブラッシングチャンバ内の流体の加圧および減圧を交互に行うことによって変形可能になるように構成されるマウスピース。
３．ブラッシングチャンバは、ブラッシングチャンバ内への流体の供給およびブラッシングチャンバからの流体の排出によってそれぞれ、ブラッシングチャンバを加圧し減圧するのを可能にするように構成された開口部が設けられる、前節のいずれか一節に記載のマウスピース。
４．少なくとも、ブラッシングチャンバが加圧されたときにブリッスルが歯表面に係合するように構成される、前節のいずれか一節に記載のマウスピース。
５．可撓性壁部は、ゴム材料などの弾性材料から作られる、前節のいずれか一節に記載のマウスピース。
６．少なくとも１つのブラッシングチャンバは、支持構造の内面に固定された管状部材を備え、管状部材は、ブリッスルが設けられた可撓性壁部を備える、前節のいずれか一節に記載のマウスピース。
７．管状部材は、長手方向縁部を有する細長いストリップで作られ、ストリップは、長手方向縁部に沿って相互に接続される、節６に記載のマウスピース。
８．管状部材は、２つの細長いストリップで作られ、第１のストリップは、支持構造の内面に固定され、第２のストリップは、ブリッスルが設けられた可撓性壁部を備える、節７に記載のマウスピース。
９．支持構造は、その内面に、管状部材の少なくとも一部を収容する窪みを備える、節６から８のいずれか一節に記載のマウスピース。
１０．少なくとも１つのブラッシングチャンバは、縁部を有する壁部材を備え、縁部は、支持構造の内面に固定され、壁部材は、ブリッスルが設けられた可撓性壁部を備える、節１から５のいずれか一節に記載のマウスピース。
１１．支持構造は、その内面に、壁部材が固定された窪みを備える、節１０に記載のマウスピース。
１２．ブラッシングチャンバは、可撓性材料から作られたブラダを含み、可撓性壁部は、ブラダを加圧または減圧することによって変形可能である、前節のいずれか一節に記載のマウスピース。
１３．ブラダは、ブラダ内への流体の供給およびブラダからの流体の排出によってそれぞれ、ブラッシングチャンバを加圧し減圧するのを可能にするように構成された開口部が設けられる、節１２に記載のマウスピース。
１４．支持構造の内面とブラッシングチャンバとの間に位置する位置決めチャンバをさらに備え、位置決めチャンバは、位置決めチャンバを加圧または減圧することによって変形可能である、前節のいずれか一節に記載のマウスピース。
１５．少なくとも１つのブラッシングチャンバは、歯列弓の舌側面、顔側面、および皎合面または切縁のうちの少なくとも１つに面するように構成され、ブリッスルは、チャンバが加圧されたときに歯列弓の舌側面、顔側面、および皎合面または切縁のうちの少なくとも１つに係合するように構成される、前節のいずれか一節に記載のマウスピース。
１６．支持構造は、歯列弓当たり３つのブラッシングチャンバを備え、３つのブラッシングチャンバの第１のブラッシングチャンバは、歯列弓の舌側面に面するように構成され、３つのブラッシングチャンバの第２のブラッシングチャンバは、歯列弓の顔側面に面するように構成され、３つのブラッシングチャンバの第３のブラッシングチャンバは、歯列弓の皎合面または切縁に面するように構成され、ブリッスルは、対応する第１、第２、または第３のブラッシングチャンバが加圧されたときに歯列弓の舌側面、顔側面、および皎合面または切縁のうちの少なくとも１つに接触するように構成される、前節のいずれか一節に記載のマウスピース。
１７．切歯を包み込む支持構造の部分が、歯列弓当たり少なくとも２つのブラッシングチャンバを備え、２つのブラッシングチャンバの第１のブラッシングチャンバは、切歯の舌側面に面するように構成され、２つのブラッシングチャンバの第２のブラッシングチャンバは、切歯の顔側面に面するように構成され、ブリッスルは、対応する第１または第２のブラッシングチャンバが加圧されたときに切歯の舌側面および顔側面の少なくとも一方に接触するように構成される、節１から１４のいずれか一節に記載のマウスピース。
１８．ブリッスルまたはブリッスルのタフトは、インサート成形、クラミング、または接着によってチャンバの可撓性壁部に固定される、前節のいずれか一節に記載のマウスピース。
１９．可撓性壁部およびブリッスルまたはブリッスルのタフトは、同じ材料から一体的に作られる、節１から１７のいずれか一節に記載のマウスピース。
２０．ブリッスルまたはブリッスルのタフトの各々は、ブリッスル支持体上に固定され、ブリッスル支持体は、チャンバの可撓性壁部に接触するか、またはチャンバの可撓性壁部に固定される、節１から１８のいずれか一節に記載のマウスピース。
２１．ブリッスル支持体は、可撓性壁部の窪み内に位置するか、または可撓性壁部の材料に埋め込まれるか、または可撓性壁部に付着するかもしくは接着されるか、またはチャンバ内に位置し、可撓性壁部の穴と重なり合い、この穴を通ってブリッスルのタフトが可撓性壁部から外側に延びる、節２０に記載のマウスピース。
２２．ブリッスル支持体はネット状構成を有する、節２０または２１に記載のマウスピース。
２３．支持構造は剛性の高い材料で作られる、前節のいずれか一節に記載のマウスピース。
２４．支持構造の断面の少なくとも一部はＵ字形またはV字形である、前節のいずれか一節に記載のマウスピース。
２５．支持構造は、歯列弓のすべての歯を包み込むように構成される、前節のいずれか一節に記載のマウスピース。
２６．支持構造は、上顎歯列弓の複数の歯および下顎歯列弓の複数の歯を包み込むように構成される、前節のいずれか一節に記載のマウスピース。
２７．支持構造は、上顎歯列弓と下顎歯列弓の両方のすべての歯を包み込むように構成される、節２６に記載のマウスピース。
２８．支持構造の断面の少なくとも一部はH字形またはX字形である、節２６または２７に記載のマウスピース。
２９．少なくとも１つのブラッシングチャンバと流体連通する少なくとも１つの流体開口部であって、少なくとも１つのブラッシングチャンバへの流体の供給と少なくとも１つのブラッシングチャンバからの流体の排出を交互に行って、少なくとも１つのブラッシングチャンバ内の流体の加圧および減圧を交互に行うのを可能にするように構成された少なくとも１つの流体開口部をさらに備える、前節のいずれか一節に記載のマウスピース。
３０．可撓性壁部が弾性材料から作られる、前節のいずれか一節に記載のマウスピース。
３１．ブリッスルは、少なくとも１つのブラッシングチャンバの可撓性壁部に直接接続される、前節のいずれか一節に記載のマウスピース。
３２．ブリッスルは、少なくとも１つのブラッシングチャンバの可撓性壁部に直接接続され、それによって、各ブリッスルまたはブリッスルのタフトの長手方向が、ブリッスルまたはブリッスルのタフトが接続されるかまたは取り付けられた可撓性壁部の部分の向きによって決定される、前節のいずれか一節に記載のマウスピース。
３３．ブリッスルは、少なくとも１つのブラッシングチャンバが加圧されたときに上顎歯列弓または下顎歯列弓の舌側面、顔側面、および皎合面または切縁のうちの少なくとも１つに係合するように構成される、前節のいずれか一節に記載のマウスピース。
３４．少なくとも１つのブラッシングチャンバは、上顎歯列弓および下顎歯列弓の長さ方向において見たときに、支持構造の全長に沿って延びる、前節のいずれか一節に記載のマウスピース。
３５．少なくとも１つのブラッシングチャンバは、上顎歯列弓および下顎歯列弓の複数の歯を包み込む使用時に、上顎歯列弓および下顎歯列弓の長さ方向において見たときに、上顎歯列弓および下顎歯列弓の左部分、前部分、および右部分に沿って延びるように構成される、前節のいずれか一節に記載のマウスピース。
３６．ブラッシングチャンバは、上顎歯列弓および下顎歯列弓の少なくとも切歯、犬歯、および小臼歯を包み込むように構成される、前節のいずれか一節に記載のマウスピース。
３７．支持構造は、少なくとも１つのブラッシングチャンバの可撓性壁部に対して剛性を有する、前節のいずれか一節に記載のマウスピース。
３８．前記少なくとも１つの圧力チャンバにおける１つまたは複数の圧力チャンバを加圧し、同時に前記少なくとも１つの圧力チャンバにおける１つまたは複数の他の圧力チャンバを減圧するように構成される、前節のいずれか一節に記載のマウスピース。
３９．前記少なくとも１つの圧力チャンバにおける１つまたは複数の圧力チャンバを加圧するのを可能にし、同時に前記少なくとも１つの圧力チャンバにおける１つまたは複数の他の圧力チャンバを減圧するのを可能にするように構成される、前節のいずれか一節に記載のマウスピース。
４０．歯磨きの方法であって、
前節のいずれか一節に記載のマウスピースによって磨くべき複数の歯を包み込むステップと、
少なくとも１つの前記ブラッシングチャンバの加圧と減圧を交互に行うステップとを含む方法。
４１．歯磨きの方法であって、
歯表面に面する内面を有する支持構造を備えるマウスピースによって歯列弓の複数の歯を包み込むステップと、
支持構造の内面側に設けられた少なくとも１つのブラッシングチャンバの加圧と減圧を交互に行うステップであって、少なくとも１つのブラッシングチャンバは、ブラッシングチャンバの可撓性壁部から外側に延びるブリッスルを有する可撓性壁部を備える、ステップとを含む方法。
４２．少なくとも２つの隣接するブラッシングチャンバが支持構造の内面側に設けられ、２つのブラッシングチャンバのそれぞれの可撓性壁部は、互いに隣接し、同じ歯表面の隣接する部分に面し、方法は、
-  ブラッシングサイクルを繰り返すステップであって、ブラッシングサイクルが、
-  ２つのブラッシングチャンバの一方を加圧し、同時に２つのブラッシングチャンバの他方を減圧することと、
-  ２つのブラッシングチャンバの前記一方を減圧し、同時に２つのブラッシングチャンバの前記他方を加圧することとを含むステップを含む、節４０または４１に記載の方法。
４３．支持構造の内面と少なくとも１つのブラッシングチャンバとの間に位置決めチャンバが位置し、方法は、
マウスピースによって複数の歯を包み込む前に位置決めチャンバを減圧するステップと、
複数の歯を包み込んだ後に位置決めチャンバを加圧するステップと、
少なくとも１つのブラッシングチャンバを加圧し減圧する間位置決めチャンバを加圧した状態に維持するステップとをさらに含む、節４０から４２のいずれか一節に記載の方法。
４４．ブリッスルは、対応するブラッシングチャンバが加圧されたときに歯表面に係合する、節４０〜４３のいずれか一節に記載の方法。
４５．節１から３９のいずれか一節に記載のマウスピースを備える歯洗浄デバイス。
４６．節１から３９のいずれか一節に記載のマウスピースを備え、
圧力デバイスであって、
-  少なくとも１つのブラッシングチャンバと流体連通することと、
-  流体による少なくとも１つのブラッシングチャンバの加圧と減圧を交互に行うこととを行うように構成された圧力デバイスをさらに備える歯洗浄デバイス。
４７．ハンドル接触面が設けられたハンドル部材であって、マウスピースには、ハンドル接触面に着脱可能に結合されるように構成されたマウスピース接触面が設けられる、ハンドル部材を備える、節４５または４６に記載の歯洗浄デバイス。
４８．マウスピース接触面は、マウスピース流体流路を通してマウスピースの少なくとも１つのブラッシングチャンバと流体連通する少なくとも１つのマウスピース流体流路末端を備え、ハンドル接触面は、マウスピース流体流路末端と流体連通するように構成された少なくとも１つのハンドル流体流路末端を備える、節４７に記載の歯洗浄デバイス。
４９．ハンドル部材は、少なくとも１つのブラッシングチャンバを加圧し減圧するためのポンピングデバイスを備え、ポンピングデバイスは、少なくとも１つのハンドル流体流路を通してハンドル流体流路末端と流体連通するように構成される、節４８に記載の歯洗浄デバイス。
５０．ポンピングデバイスは空気圧ポンプまたは油圧ポンプである、節４９に記載の歯洗浄デバイス。
５１．ポンピングデバイスは、制御可能な弁システムを通してハンドル流体流路末端に結合される、節４９または５０に記載の歯洗浄デバイス。
５２．マウスピース接触面は、支持構造に設けられた洗浄流体供給開口部と流体連通する少なくとも１つのさらなるマウスピース流体流路末端を備え、ハンドル接触面は、さらなるマウスピース流体流路末端と流体連通するように構成された少なくとも１つのさらなるハンドル流体流路末端を備える、節４５から５１のいずれか一節に記載の歯洗浄デバイス。
５３．少なくとも１つのブラッシングチャンバと流体連通する少なくとも１つの第１の流体末端を含む第１の接触面部分と、圧力デバイスと流体連通する少なくとも１つの第２の流体末端を含む第２の接触面部分とを有する接触面をさらに備え、
第１の接触面部分および第２の接触面部分は、互いに脱着可能に結合するように構成され、それによって、結合状態では、前記第１の流体末端が前記少なくとも１つの第２の流体末端と流体連通する、節４５から５２のいずれか一節に記載の歯洗浄デバイス。
５４．前記少なくとも１つの流体末端の数は、前記少なくとも１つの第２の流体末端の数に対応する、節５３に記載の歯洗浄デバイス。
５５．圧力デバイスは、前記少なくとも１つの圧力チャンバにおける１つまたは複数の圧力チャンバを加圧し、同時に前記少なくとも１つの圧力チャンバにおける１つまたは複数の他の圧力チャンバを減圧するようにさらに構成される、節４５から５４のいずれか一節に記載の歯洗浄デバイス。
５６．洗浄流体構成をさらに備え、洗浄流体構成は、
洗浄流体用の注入口であって、注入口開口部が、マウスピースをハンドル部材に結合するように構成されたマウスピース接触面に配置される注入口と、
洗浄流体用の１つまたは複数の放出口であって、上顎歯列弓および／または下顎歯列弓の領域に歯洗浄流体を供給するように構成された放出口と、
マウスピースを貫通して延び、洗浄流体用の注入口と洗浄流体用の１つまたは複数の放出口との間を流体接続するように構成されたダクトとを備える、節１から３９のいずれか一節に記載のマウスピース。
５７．前記１つまたは複数の放出口は、複数の歯の切歯の領域に配置された放出口を備える、節５６に記載のマウスピース。
５８．前記１つまたは複数の放出口は、複数の歯の皎合面および切縁の領域にわたって歯列弓に沿って分散されて配置された複数の放出口を備える、節５６または５７に記載のマウスピース。
５９．前記１つまたは複数の放出口は、複数の歯の皎合面および切縁の領域にわたって歯列弓に沿って分散された複数の放出口を有する第１の列を備える、節５６から５８のいずれか一節に記載のマウスピース。
５９．前記１つまたは複数の放出口は、複数の歯の皎合面および切縁の領域にわたって歯列弓に沿って分散された複数の放出口を有する第２の列を備え、第２の列は第１の列に平行である、節５８に記載のマウスピース。
６０．少なくとも１つのブラッシングチャンバの可撓性壁部は、少なくとも１つのブラッシングチャンバを加圧した結果として凸形状をとるように構成される、節１〜３９または５６〜５９のいずれか一節に記載のマウスピース。
６１．少なくとも１つのブラッシングチャンバの可撓性壁部は、少なくとも１つのブラッシングチャンバを減圧した結果として凹形状をとるように構成される、節１〜３９または５６〜６０のいずれか一節に記載のマウスピース。
６２．節５６〜５９のいずれか一節に記載のマウスピースとハンドル部材とを備え、ハンドル部材には、マウスワッシュカプセルと、マウスワッシュカプセルと洗浄流体用の注入口との間を流体接続するように構成されたハンドル部材ダクトとが設けられる歯洗浄デバイス。
６３．ハンドルは、マウスワッシュ液をカプセルからマウスピースに送り出すように構成されたポンプをさらに備える、節６０に記載の歯洗浄デバイス。
【０１５４】
上記で詳しく説明したように、歯洗浄デバイス用のマウスピースは、歯列弓の複数の歯を包み込むように構成された支持構造を備える。支持構造は、歯表面に面する内面を有する。内面側に少なくとも１つのブラッシングチャンバが設けられる。ブラッシングチャンバは、ブラッシングチャンバを加圧または減圧することによって変形可能な可撓性壁部を備える。可撓性壁部から外側にブリッスルが延びる。歯磨きの方法では、マウスピースによって複数の歯が包み込まれ、少なくとも１つのブラッシングチャンバに対して加圧と減圧が交互に行われる。
【０１５５】
上記で詳しく説明したように、本発明によるマウスピースは、少なくとも１つのブラッシングチャンバを備える。少なくとも１つのブラッシングチャンバは、本発明によれば、上顎歯列弓用に１つ、下顎歯列弓用に１つの、２つのブラッシングチャンバであってもよい。少なくとも１つのブラッシングチャンバは、上顎歯列弓用の２つ、３つ、５つ、または任意の他の数のブラッシングチャンバと下顎歯列弓用の２つ、３つ、５つ、または任意の他の数のブラッシングチャンバであってもよい。上記では、各ブラッシングチャンバがマウスピースの全長にわたって延びると仮定されているが、各列が歯列弓の長さ方向に延びるブラッシングチャンバの１つまたは複数の列が、一列に揃えられた２つ以上のブラッシングチャンバを備える実施形態も含む。
【０１５６】
必要に応じて、本明細書では本発明の詳細な実施形態が開示されるが、開示された実施形態は本発明の例に過ぎず、本発明が様々な形態で実施できることを理解されたい。したがって、本明細書で開示された特定の構造および機能の詳細は、限定として解釈すべきではなく、単に特許請求の範囲の基礎としてかつ本発明を実質的に任意の適切に詳細な構造において様々な形態で当業者が使用するように教示するための代表的な基礎として解釈すべきである。さらに、本明細書で使用された用語および句は、限定を意図したものではなく、むしろ本発明の理解可能な説明を提供するためのものである。
【０１５７】
「ａ／ａｎ」という用語は、本明細書で使用するとき、１つまたは１つよりも多い数として定義される。plurality（複数）という用語は、本明細書で使用するとき、２つまたは２つよりも多い数として定義される。another（別の）という用語は、本明細書で使用するとき、少なくとも２番目またはそれよりも後のものとして定義される。including（含む）および／またはhaving（有する）という用語は、本明細書で使用するとき、comprising（備える）と定義される（すなわち、オープンランゲージ、他の要素およびステップを除外しない）。特許請求の範囲における任意の参照符号は、特許請求の範囲の範囲、または本発明を限定するものと解釈すべきではない。
【０１５８】
ある手段が相互に異なる従属クレームに記載されているという事実だけで、これらの手段の組合せが有利に使用できないものであることを示すことにはならない。
【０１５９】
coupled（結合された）という用語は、本明細書で使用するとき、接続されることとして定義されるが、必ずしも直接接続されるとは限らない。
【符号の説明】
【０１６０】
１  歯列弓
１０、２０、３０、４０、５０、８１ａ、８１ｂ、２０４、２６０、２７０、２８０、３１０、３３０  マウスピース
１１、２１、３１、４１、５１、９４、８４、８５、１０６、１１６、３１１、３３１  支持構造
１２、３２  内面
１３ａ  第１のブラッシングチャンバ
１３ｂ  第２のブラッシングチャンバ
１３ｃ  第３のブラッシングチャンバ
１４ａ  第１の流体流路
１４ｂ  第２の流体流路
１４ｃ  マウスピース流体流路末端
１６、３６  マウスピース接触面
１７ａ、１７ｂ、１７ｃ、３７ａ〜３７ｆ、６２、７４ａ〜７４ｆ、８３、８９ａ〜８９ｆ、９６、１０８、１１８、１２０、１５４、１６０、１７０、１８０、１９０  可撓性壁部
２２ａ〜２２ｅ  第１〜第５のブラッシングチャンバ
２３ａ〜２３ｆ  第１〜第６の可撓性壁部
２４、４４、５４、１３２、１３６、１４２、１５２、１５６、１６２、１７２、１８２、１９２、２６４、２７４、２８４、３１５、３３５  ブリッスル
３３ａ〜３３ｆ  第１〜第６のブラッシングチャンバ
３４ａ  第１の流体流路末端
３４ｂ  第２の流体流路末端
３４ｃ  第１のマウスピース流体流路末端
３４ｄ  第４の流体流路末端
３４ｅ  第５の流体流路末端
３４ｆ  第２のマウスピース流体流路末端
４２ａ〜４２ｊ  第１〜第１０のブラッシングチャンバ
４３ａ〜４３ｌ  第１〜第１２の可撓性壁部
５２ａ〜５２ｄ  第１〜第４の位置決めチャンバ
５３ａ〜５３ｌ  第５〜第１６の可撓性壁部
５５ａ〜５５ｌ  第１〜第１２のブラッシングチャンバ
５６ａ〜５６ｄ  第１〜第４の可撓性壁部
５８  歯
６０、８０、９０、１００、１１０  位置決めチャンバまたはブラッシングチャンバ
６４  ブラダ
７２ａ〜７２ｅ  第１〜第５のブラッシングチャンバ
７６ａ〜７６ｅ  第１〜第５のブラダ
８２、８６ａ〜８６ｃ  壁部材
８２ａ、８８ａ〜８８ｈ  縁部
８５ａ  中心部
８７ａ〜８７ｇ、３１２、３３２、３３２ａ、３３２ｂ  ブラッシングチャンバ
９２  ストリップ
９２ａ、９２ｂ、１０４ａ、１０４ｂ、１１４ａ、１１４ｂ  縁部または縁部領域
１０２ａ、１０２ｂ、１１２ａ、１１２ｂ  細長いストリップ
１３０、１４０、１５０  可撓性壁部またはブリッスル支持体
１３４、１５８、１６４、１７４、１８４、１９４  ブリッスル支持体
１４４、１５３、１５７、１８６  穴
１５１、１５５、１９６  接着剤
１６６  窪み
２００  歯洗浄デバイス
２０２  ハンドル部材
２１０  バッテリ
２１２  バッテリ充電接触面
２１４  ＰＣＢ
２１６  モータ
２１８  変速機
２２０  クランクピストン
２２２  ピストンポンプ
２２２ａ  ポンプ
２２４  マウスワッシュポンプ
２３０  マウスワッシュカプセル
２４０  ブラッシング弁ユニット
２４２、２４２ａ、２４２ｂ、２４５、２４５ａ、２４５ｂ、２４７ｂ、２４７ｃ、 ２５２、２５４、２７３、２８３  ダクト
２４３、２４３ａ、２４３ｂ  開口部
２４４、２４４ａ、２４４ｂ  電子弁
２４７ａ  分岐ダクト
２４８  マウスワッシュ弁
２５０  洗浄弁ユニット
２６１  第１の放出口
２６２  第２の放出口
２７１ａ〜２７１ｇ  第１の放出口
２７２ａ〜２７２ｇ  第２の放出口
２８１ａ〜２８１ｇ、２９１ａ〜２９１ｇ  第１の放出口
２８２ａ〜２８２ｇ、２９２ａ〜２９２ｇ  第２の放出口
３１１ａ、３１１ｂ  支持構造、側部
３１１ｃ  支持構造、中間部
３１２ａ  第１のブラッシングチャンバ
３１２ｂ  第２のブラッシングチャンバ
３１３ａ  第１の可撓性壁部
３１３ｂ  第２の可撓性壁部
３１４、３３４  ブリッスル、タフト
３１６、３３６  内面  内面側
３３１ａ、３３１ｂ  支持構造、側部
３３１ｃ  支持構造、中間部
３３３ａ  第１の可撓性壁部
３３３ｂ  第２の可撓性壁部
【図１】
2020518416.tif 000003
【図２ａ】
2020518416.tif 000004
【図２ｂ】
2020518416.tif 000005
【図２ｃ】
2020518416.tif 000006
【図３】
2020518416.tif 000007
【図４ａ】
2020518416.tif 000008
【図４ｂ】
2020518416.tif 000009
【図４ｃ】
2020518416.tif 000010
【図５ａ】
2020518416.tif 000011
【図５ｂ】
2020518416.tif 000012
【図５ｃ】
2020518416.tif 000013
【図６ａ】
2020518416.tif 000014
【図６ｂ】
2020518416.tif 000015
【図６ｃ】
2020518416.tif 000016
【図７ａ】
2020518416.tif 000017
【図７ｂ】
2020518416.tif 000018
【図７ｃ】
2020518416.tif 000019
【図７ｄ】
2020518416.tif 000020
【図８】
2020518416.tif 000021
【図９】
2020518416.tif 000022
【図１０ａ】
2020518416.tif 000023
【図１０ｂ】
2020518416.tif 000024
【図１０ｃ】
2020518416.tif 000025
【図１０ｄ】
2020518416.tif 000026
【図１１】
2020518416.tif 000027
【図１２】
2020518416.tif 000028
【図１３】
2020518416.tif 000029
【図１４】
2020518416.tif 000030
【図１５】
2020518416.tif 000031
【図１５ａ】
2020518416.tif 000032
【図１６】
2020518416.tif 000033
【図１７ａ】
2020518416.tif 000034
【図１７ｂ】
2020518416.tif 000035
【図１８】
2020518416.tif 000036
【図１９】
2020518416.tif 000037
【図２０】
2020518416.tif 000038
【図２１】
2020518416.tif 000039
【図２２】
2020518416.tif 000040
【図２３】
2020518416.tif 000041
【図２４】
2020518416.tif 000042
【図２５】
2020518416.tif 000043
【図２６】
2020518416.tif 000044
【図２７】
2020518416.tif 000045
【図２８ａ】
2020518416.tif 000046
【図２８ｂ】
2020518416.tif 000047
【図２９ａ】
2020518416.tif 000048
【図２９ｂ】
2020518416.tif 000049
【図３０ａ】
2020518416.tif 000050
【図３０ｂ】
2020518416.tif 000051
【図３１】
2020518416.tif 000052
【国際調査報告】
2020518416.tif 000053
2020518416.tif 000054
2020518416.tif 000055
2020518416.tif 000056